(57)【要約】  周波数再利用を用いるリソース予約を使用してハンドオーバ制御を容易にするためのシステム、方法、および装置が提供される。一実施形態では、この方法は、周波数帯域の予約されない部分に対応する周波数上での情報の送信に係るスケジューリング情報を送信すること、をもつことができる。この方法はまた、周波数帯域の予約部分に対応する周波数上での情報の送信に係るスケジューリング情報を送信することをもつことができる。周波数再利用方式は、周波数帯域の予約部分に対応する周波数上で使用され、周波数帯域の予約部分に対応する周波数上で送信される情報はハンドオーバ信号情報であることができる。
2013509085.tif 000002
【特許請求の範囲】
【請求項１】
周波数帯域の予約されない部分に対応する１つまたは複数の周波数上での第１の情報の送信に係るスケジューリング情報を送信することと、
前記周波数帯域の第１の予約部分に対応する１つまたは複数の周波数上での第２の情報の送信に係るスケジューリング情報を送信することと、を備え、
前記第１の予約部分が複数の基地局のうちの第１の基地局に割り当てられ、周波数再利用方式は、前記周波数帯域の前記第１の予約部分に対応する前記１つまたは複数の周波数上で使用される、方法。
【請求項２】
前記第２の情報は、複数のユーザ機器のうちの第１のユーザ機器の、ハンドオーバに係る１つまたは複数のメッセージを備える信号情報であり、
前記ハンドオーバは、前記複数の基地局のうちの前記第１の基地局から前記複数の基地局のうちの第２の基地局にである、請求項１に記載の方法。
【請求項３】
前記周波数再利用方式は、前記複数の基地局のうちの前記第１の基地局と前記複数の基地局のうちの第３の基地局との、前記周波数帯域の前記第１の予約部分に対応する前記１つまたは複数の周波数への割当てを備え、
前記複数の基地局のうちの前記第１の基地局は、前記複数の基地局のうちの前記第３の基地局に対して近くにない基地局である、請求項２に記載の方法。
【請求項４】
前記周波数再利用方式は、前記複数の基地局のうちの前記第１の基地局の前記周波数帯域の前記第１の予約部分への割当てと、前記複数の基地局のうちの前記第２の基地局の前記周波数帯域の第２の予約部分への割当てとを備え、
前記複数の基地局のうちの前記第１の基地局と前記複数の基地局のうちの前記第２の基地局とは近くの基地局である、請求項２に記載の方法。
【請求項５】
前記周波数帯域の前記予約されない部分に対応する前記１つまたは複数の周波数上での前記第１の情報の送信のために複数のユーザ機器のうちの第１のユーザ機器を選択することと、
前記第１の予約部分に対応する前記１つまたは複数の周波数上での前記第２の情報の送信のために前記複数のユーザ機器のうちの第２のユーザ機器を選択することと、
をさらに備える、請求項１に記載の方法。
【請求項６】
前記複数のユーザ機器のうちの前記第２のユーザ機器を選択することは、
前記複数のユーザ機器のうちの前記第２のユーザ機器からチャネル測定値を受信することと、
前記チャネル測定値が選択されるレベルを下回るかどうかを決めることと、
前記チャネル測定値が前記選択されるレベルを下回ることに応答して、前記第１の予約部分に対応する前記１つまたは複数の周波数上での前記第２の情報の送信のために前記複数のユーザ機器のうちの前記第２のユーザ機器を選択することと、
前記チャネル測定値が前記選択されるレベルを下回らないことに応答して、前記第１の予約部分に対応する前記１つまたは複数の周波数上での前記第２の情報の送信のために前記複数のユーザ機器のうちの前記第２のユーザ機器を選択しないことと
を備える、請求項５に記載の方法。
【請求項７】
前記複数のユーザ機器のうちの他のユーザ機器の複数のチャネル測定値を決めることと、
前記複数のチャネル測定値のいずれかが前記選択されるレベルを下回るかどうかを決めることと、
前記複数のチャネル測定値のいずれも前記選択されるレベルを下回らないことと、前記第１の予約部分に対応する前記１つまたは複数の周波数上での前記第２の情報の送信のために前記複数のユーザ機器のうちの前記第２のユーザ機器を選択しないこととに応答して、前記第１の予約部分に対応する前記１つまたは複数の周波数上での前記第１の情報の送信のために前記複数のユーザ機器のうちの少なくとも１つを選択することと、
をさらに備える、請求項６に記載の方法。
【請求項８】
前記チャネル測定値は、前記複数のユーザ機器のうちの前記第２のユーザ機器において測定されるチャネル品質インジケータ、送信電力または受信信号強度測定値のうちの少なくとも１つであり、
前記複数のチャネル測定値は、前記前記チャネル測定値がチャネル品質インジケータであるとき、複数のユーザ機器のうちの他のユーザ機器からの複数のチャネル品質インジケータであり、
前記複数のチャネル測定値は、前記チャネル測定値が送信電力であるとき、前記複数のユーザ機器のうちの他のユーザ機器で測定される複数の送信電力であり、
前記複数のチャネル測定値は、前記チャネル測定値が受信信号強度測定値であるとき、複数の受信信号強度測定値である、請求項７に記載の方法。
【請求項９】
前記第１の情報はデータであり、前記第２の情報は信号情報である、請求項８に記載の方法。
【請求項１０】
前記複数のユーザ機器のうちの前記第２のユーザ機器を選択することは、
前記複数のユーザ機器のうちの前記第２のユーザ機器から受信信号強度測定報告を受信すること、ここで、前記受信信号強度測定報告は、前記複数の基地局のうちの前記第１の基地局に係る第１の信号強度インジケータ測定値と、前記複数の基地局のうちの第２の基地局に係る第２の信号強度インジケータ測定値とを備える、と、
前記複数の基地局のうちの前記第１の基地局に係る前記第１の信号強度インジケータ測定値が、前記複数の基地局のうちの前記第２の基地局に係る前記第２の信号強度インジケータ測定値よりも小さいかどうかを決めることと、
前記複数の基地局のうちの前記第１の基地局に係る前記第１の信号強度インジケータ測定値が前記複数の基地局のうちの前記第２の基地局に係る前記第２の信号強度インジケータ測定値よりも小さいことに応答して、前記第１の予約部分に対応する前記１つまたは複数の周波数上での前記第２の情報の送信のために前記複数のユーザ機器のうちの前記第２のユーザ機器を選択することと、
前記複数の基地局のうちの前記第１の基地局に係る前記第１の信号強度インジケータ測定値が前記複数の基地局のうちの前記第２の基地局に係る前記第２の信号強度インジケータ測定値よりも小さくないことに応答して、前記第１の予約部分に対応する前記１つまたは複数の周波数上での前記第２の情報の送信のために、前記複数のユーザ機器のうちの前記第２のユーザ機器を選択しないことと
を備える、請求項５に記載の方法。
【請求項１１】
前記第１の情報または前記第２の情報の送信のためのタイムスロットを示すスケジューリング情報を送信することをさらに備える、請求項１に記載の方法。
【請求項１２】
周波数帯域の予約されない部分に対応する１つまたは複数の周波数上での第１の情報の送信のためのスケジューリング情報を送信することをコンピュータにさせるための第１のコードセットと、
前記周波数帯域の第１の予約部分に対応する１つまたは複数の周波数上での第２の情報の送信のためのスケジューリング情報を送信することを前記コンピュータにさせるための第２のコードセット、ここで、前記周波数帯域の前記第１の予約部分に対応する前記１つまたは複数の周波数の上で周波数再利用方式が使用される、と、
を有するコンピュータ可読媒体、
を備えるコンピュータプログラム製品。
【請求項１３】
前記第２の情報は、複数のユーザ機器のうちの第１のユーザ機器のハンドオーバに係る１つまたは複数のメッセージを備える信号情報であり、前記ハンドオーバが複数の基地局のうちの第１の基地局から前記複数の基地局のうちの第２の基地局へ行われる、請求項１２に記載のコンピュータプログラム製品。
【請求項１４】
前記周波数再利用方式は、前記複数の基地局のうちの前記第１の基地局と前記複数の基地局のうちの第３の基地局との前記周波数帯域の前記第１の予約部分に対応する前記１つまたは複数の周波数への割り当てを有し、前記複数の基地局のうちの前記第１の基地局が前記複数の基地局のうちの前記第３の基地局に対して近くにない基地局である、請求項１３に記載のコンピュータプログラム製品。
【請求項１５】
前記周波数再利用方式は、前記周波数帯域の前記第１の予約部分への、前記複数の基地局のうちの前記第１の基地局の割り当てと、前記周波数帯域の第２の第１予約部分への、前記複数の基地局のうちの前記第２の基地局の割り当てとを備え、前記複数の基地局のうちの前記第１の基地局と前記複数の基地局のうちの前記第２の基地局とが近くの基地局である、請求項１３に記載のコンピュータプログラム製品。
【請求項１６】
前記周波数帯域の前記予約されない部分に対応する前記１つまたは複数の周波数上での前記第１の情報の送信のために複数のユーザ機器のうちの第１のユーザ機器を選択することを前記コンピュータにさせるための第３のコードセットと、
前記第１の予約部分に対応する前記１つまたは複数の周波数上での前記第２の情報の送信のために前記複数のユーザ機器のうちの第２のユーザ機器を選択することを前記コンピュータにさせるための第４のコードセットと、
をさらに備える、請求項１２に記載のコンピュータプログラム製品。
【請求項１７】
前記複数のユーザ機器のうちの前記第２のユーザ機器を選択することを前記コンピュータにさせるための前記第４のコードセットは、
前記複数のユーザ機器のうちの前記第２のユーザ機器からチャネル測定値を受信することを前記コンピュータにさせるための第５のコードセットと、
前記チャネル測定値が選択されるレベルを下回るかどうかを決めることを前記コンピュータにさせるための第６のコードセットと、
前記チャネル測定値が前記選択されるレベルを下回ることに応答して、前記第１の予約部分に対応する前記１つまたは複数の周波数上での前記第２の情報の送信のために前記複数のユーザ機器のうちの前記第２のユーザ機器を選択することを前記コンピュータにさせるための第７のコードセットと、
前記チャネル測定値が前記選択されるレベルを下回らないことに応答して、前記第１の予約部分に対応する前記１つまたは複数の周波数上での前記第２の情報の送信のために前記複数のユーザ機器のうちの前記第２のユーザ機器を選択しないことを前記コンピュータにさせるための第８のコードセットと、
を備える、請求項１６に記載のコンピュータプログラム製品。
【請求項１８】
前記複数のユーザ機器のうちの他のユーザ機器の複数のチャネル測定値を決めることを前記コンピュータにさせるための第９のコードセットと、
前記複数のチャネル測定値のいずれかが前記選択されるレベルを下回るかどうかを決めることを前記コンピュータにさせるための第１０のコードセットと、
前記複数のチャネル測定値のいずれも前記選択されるレベルを下回らないことと、前記第１の予約部分に対応する前記１つまたは複数の周波数上での前記第２の情報の送信のために前記複数のユーザ機器のうちの前記第２のユーザ機器を選択しないこととに応答して、前記第１の予約部分に対応する前記１つまたは複数の周波数上での前記第１の情報の送信のために前記複数のユーザ機器のうちの少なくとも１つを選択することを前記コンピュータにさせるための第１１のコードセットと、
をさらに備える、請求項１７に記載のコンピュータプログラム製品。
【請求項１９】
前記チャネル測定値は、前記複数のユーザ機器のうちの前記第２のユーザ機器で測定されるチャネル品質インジケータ、送信電力または受信信号強度測定値のうちの少なくとも１つであり、
前記複数のチャネル測定値は、前記チャネル測定値がチャネル品質インジケータであるとき、前記複数のユーザ機器のうちの他のユーザ機器からの複数のチャネル品質インジケータであり、
前前記複数のチャネル測定値は、記チャネル測定値が送信電力であるとき、前記複数のユーザ機器のうちの他のユーザ機器において測定される複数の送信電力であり、
前記複数のチャネル測定値は、前記チャネル測定値が受信信号強度測定値であるとき、複数の受信信号強度測定値である、
請求項１８に記載のコンピュータプログラム製品。
【請求項２０】
前記第１の情報はデータであり、前記第２の情報は信号情報である、請求項１９に記載のコンピュータプログラム製品。
【請求項２１】
装置であって、
周波数再利用方式に従って前記装置に割り当てられる周波数帯域の第１の予約部分を示す周波数再利用情報を受信することと、
ユーザ機器で経験されるチャネルの品質を示す情報を受信することと、
のために構成される受信機と、
前記ユーザ機器において経験される前記チャネルの前記品質を決めるために構成されるチャネル品質ユニットと、
前記ユーザ機器で前記チャネルの前記品質が選択されるレベルよりも低いことに応答して、前記周波数帯域の前記第１の予約部分上での第１の情報の通信をスケジュールするために構成されるスケジューリングユニット、ここで、前記第１の情報は信号情報である、と、
を備える制御ユニットと、
スケジュールされる通信を示すリソース割り当て情報を前記ユーザ機器に送信するために構成される送信機と、
受信される周波数再利用情報を記憶するために構成されるメモリと、
を備える装置。
【請求項２２】
前記装置は第１の基地局であり、
前記制御ユニットは、さらに、前記周波数帯域の予約されない部分上での送信に係るデータを生成することと、前記周波数帯域の前記第１の予約部分上での送信に係る信号情報を生成することとのために構成される、基地局・データおよび信号情報・生成器を備える、請求項２１に記載の装置。
【請求項２３】
前記信号情報はハンドオーバ信号情報である、請求項２２に記載の装置。
【請求項２４】
前記周波数再利用方式は、周波数の前記第１の予約部分への前記第１の基地局の割り当てと、周波数の第２の予約部分への第２の基地局の割り当てとを備え、前記第１の基地局と前記第２の基地局が互いに対して近くの基地局である、請求項２２に記載の装置。
【請求項２５】
前記制御ユニットは、前記第１の基地局から送信される情報の電力レベルを制御するために構成される電力制御ユニットをさらに備え、前記電力レベルは前記周波数再利用方式に従って決められる、請求項２４に記載の装置。
【請求項２６】
前記スケジューリングユニットは、
前記ユーザ機器における前記チャネルの前記品質が選択されるレベルよりも低くないことに応答して、前記周波数帯域の前記第１の予約部分上での前記第１の情報の通信をスケジュールしないるめにさらに構成される、請求項２１に記載の装置。
【請求項２７】
周波数帯域の予約されない部分に対応する１つまたは複数の周波数上での第１の情報の送信に係るスケジューリング情報を送信するための手段と、
前記周波数帯域の第１の予約部分に対応する１つまたは複数の周波数上での第２の情報の送信に係るスケジューリング情報を送信するための手段、ここで、前記第１の予約部分は複数の基地局のうちの第１の基地局に割り当てられ、前記周波数再利用方式は周波数帯域の前記第１の予約部分に対応する前記１つまたは複数の周波数の上で使用される、と、
を備える装置。
【請求項２８】
前記第２の情報は、複数のユーザ機器のうちの第１のユーザ機器のハンドオーバに係る１つまたは複数のメッセージを備える信号情報であり、
前記ハンドオーバは、前記複数の基地局のうちの前記第１の基地局から前記複数の基地局のうちの第２の基地局へである、請求項２７に記載の装置。
【請求項２９】
前記周波数再利用方式は、前記複数の基地局のうちの前記第１の基地局と前記複数の基地局のうちの第３の基地局との、前記周波数帯域の前記第１の予約部分に対応する前記１つまたは複数の周波数への割り当てを備え、
前記複数の基地局のうちの前記第１の基地局は、前記複数の基地局のうちの前記第３の基地局に対して近くにない基地局である、
請求項２８に記載の装置。
【請求項３０】
周波数帯域の共通部分に対応する１つまたは複数の周波数を示し、前記周波数帯域の前記共通部分に対応する前記１つまたは複数の周波数上での通信に係る第１の情報のタイプを示すスケジューリング情報を、ユーザ機器で受信することと、
前記周波数帯域の第１の予約部分に対応する１つまたは複数の予約周波数を示し、前記１つまたは複数の予約周波数上での通信に係る第２の情報のタイプを示すスケジューリング情報を、前記ユーザ機器で受信すること、を備え、
前記１つまたは複数の予約周波数は、前記１つまたは複数の予約周波数の上で使用される周波数再利用方式に従って、複数の基地局のうちの第１の基地局に割り当てられる、
方法。
【請求項３１】
前記周波数帯域の前記共通部分に対応する前記１つまたは複数の周波数上で、前記ユーザ機器から、データを通信することをさらに備える、請求項３０に記載の方法。
【請求項３２】
前記周波数帯域の前記第１の予約部分に対応する前記１つまたは複数の予約周波数上で１つまたは複数の信号メッセージを、前記ユーザ機器から通信することをさらに備える、請求項３１に記載の方法。
【請求項３３】
前記１つまたは複数の信号メッセージは、前記複数の基地局のうちの前記第１の基地局から前記複数の基地局のうちの第２の基地局へのハンドオーバに係る信号メッセージである、請求項３２に記載の方法。
【請求項３４】
第１の情報の前記タイプはデータ情報であり、第２の情報の前記タイプは信号情報である、請求項３０に記載の方法。
【請求項３５】
前記周波数帯域の第１の予約部分に対応する前記１つまたは複数の予約周波数のうちの少なくとも１つは、第１のランダムアクセスチャネルに対応し、
周波数帯域の共通部分に対応する前記１つまたは複数の周波数のうちの少なくとも１つは、第２のランダムアクセスチャネルに対応し、
前記第１のランダムアクセスチャネルおよび前記第２のランダムアクセスチャネルは、前記ユーザ機器によってアクセス可能であり、
前記方法は、
前記ユーザ機器が経験するチャネル品質を前記ユーザ機器で測定することと、
前記第１のランダムアクセスチャネルが前記１つまたは複数の予約周波数のうちの少なくとも１つに対応することを、前記ユーザ機器で決めることと、
前記第１のランダムアクセスチャネルが前記１つまたは複数の予約周波数のうちの少なくとも１つに対応すると決めることに応答して、前記ユーザ機器は、前記チャネル品質が選択されるレベルよりも低いとき、前記第１のランダムアクセスチャネル上で通信することと、をさらに備える、
請求項３０に記載の方法。
【請求項３６】
周波数帯域の共通部分に対応する１つまたは複数の周波数を示し、前記周波数帯域の前記共通部分に対応する前記１つまたは複数の周波数上での通信に係る第１の情報のタイプを示すスケジューリング情報をユーザ機器で受信することを、コンピュータにさせるための第１のコードセットと、
前記周波数帯域の第１の予約部分に対応する１つまたは複数の予約周波数を示し、前記１つまたは複数の予約周波数上での通信のための第２の情報のタイプを示すスケジューリング情報を前記ユーザ機器で受信することを、前記コンピュータにさせるための第２のコードセットと、を備え、
前記１つまたは複数の予約周波数は、前記１つまたは複数の予約周波数の上で使用される周波数再利用方式に従って複数の基地局のうちの第１の基地局に割り当てられる、
コンピュータ可読媒体、
を備えるコンピュータプログラム製品。
【請求項３７】
前記周波数帯域の前記共通部分に対応する前記１つまたは複数の周波数上で、前記ユーザ機器からデータを通信することを、前記コンピュータにさせるための第３のコードセットと、
前記周波数帯域の前記第１の予約部分に対応する前記１つまたは複数の予約周波数上で１つまたは複数の信号メッセージを前記ユーザ機器から通信することを、前記コンピュータにさせるための第４のコードセットと、
をさらに備える、請求項３６に記載のコンピュータプログラム製品。
【請求項３８】
前記周波数帯域の第１の予約部分に対応する前記１つまたは複数の予約周波数のうちの少なくとも１つは、第１のランダムアクセスチャネルに対応し、
周波数帯域の共通部分に対応する前記１つまたは複数の周波数のうちの少なくとも１つは、第２のランダムアクセスチャネルに対応し、
前記第１のランダムアクセスチャネルおよび前記第２のランダムアクセスチャネルが前記ユーザ機器によってアクセス可能であり、
前記コンピュータプログラム製品は、
前記ユーザ機器が経験するチャネル品質を前記ユーザ機器で測定することを前記コンピュータにさせるための第５のコードセットと、
前記第１のランダムアクセスチャネルが前記１つまたは複数の予約周波数のうちの少なくとも１つに対応することを前記ユーザ機器で決めることを、前記コンピュータにさせるための第６のコードセットと、
前記ユーザ機器において、前記第１のランダムアクセスチャネルが前記１つまたは複数の予約周波数のうちの少なくとも１つに対応すると決めることに応答して、前記チャネル品質が選択されるレベルよりも低いとき、前記第１のランダムアクセスチャネル上で通信することを、前記コンピュータにさせるための第７のコードセットと、
をさらに備える、請求項３６に記載のコンピュータプログラム製品。
【請求項３９】
装置であって、
前記装置で経験されるチャネルの品質を測定するために構成される測定ユニットと、
予約される周波数の部分または予約されない周波数の部分上での情報の送信および受信をスケジュールするために構成されるスケジューリングユニットと、
前記予約される周波数の部分または前記予約されない周波数の部分上での送信に係るデータまたは信号情報を生成するために構成されるユーザ機器・データおよび信号情報・生成器と、を備える制御ユニットと、
前記装置で経験される前記チャネルの前記品質を示す情報を、前記装置にサービスを提供する基地局に送信するために構成される送信機と、
前記装置にサービスを提供する前記基地局から、リソース割り当て情報を受信するために構成される受信機、ここで、前記リソース割り当て情報は、
周波数の前記予約部分上でまたは周波数の前記予約されない部分上で前記データまたは前記信号情報を送信前することを記送信機にさせるためのスケジューリング情報と、
周波数の前記予約部分上または周波数の前記予約されない部分上での情報の前記送信および前記受信をスケジュールすることを、前記スケジューリングユニットにさせるためのスケジューリング情報と、を備える、と、
前記スケジューリング情報を記憶するために構成されるメモリと、
を備える装置。
【請求項４０】
前記信号情報はハンドオーバ信号情報である、請求項３９に記載の装置。
【請求項４１】
周波数帯域の共通部分に対応する１つまたは複数の周波数を示し、前記周波数帯域の前記共通部分に対応する前記１つまたは複数の周波数上での通信に係る第１の情報のタイプを示すスケジューリング情報を受信するための手段と、
前記周波数帯域の第１の予約部分に対応する１つまたは複数の予約周波数を示し、前記１つまたは複数の予約周波数上での通信に係る第２の情報のタイプを示すスケジューリング情報を受信するための手段と、を備え、
前記１つまたは複数の予約周波数は、前記１つまたは複数の予約周波数の上で使用される周波数再利用方式に従って複数の基地局のうちの第１の基地局に割り当てられる、
装置。
【請求項４２】
前記周波数帯域の前記共通部分に対応する前記１つまたは複数の周波数上でデータを通信するための手段をさらに備える、請求項４１に記載の装置。
【請求項４３】
複数の基地局のうちの第１の基地局に割り当てられる周波数帯域の予約部分の上で使用されるべく、周波数再利用方式を示す情報を受信すること、ここで、前記周波数帯域の前記予約部分は周波数スペクトルの部分であり、前記周波数スペクトルの部分は、前記複数の基地局のうちの前記第１の基地局の信号トラフィック負荷と、前記複数の基地局のうちの第２の基地局に対する前記複数の基地局のうちの前記第１の基地局の位置とに基づいて決められる、と、
前記周波数帯域の前記予約部分上で信号情報を送信することと、
を備える方法。
【請求項４４】
前記周波数帯域は、予約されない部分をさらに備え、
前記予約部分の１つまたは複数の部分は、前記予約されない部分の１つまたは複数の部分とインターリーブされる、
請求項４３に記載の方法。
【請求項４５】
複数の基地局のうちの第１の基地局に割り当てられる周波数帯域の予約部分の上で使用されるべく、周波数再利用方式を示す情報を受信することをコンピュータにさせるための第１のコードセット、ここで、前記周波数帯域の前記予約部分は、周波数スペクトルの部分であり、前記周波数スペクトルの部分は、前記複数の基地局のうちの前記第１の基地局に係る信号トラフィック負荷と、前記複数の基地局のうちの第２の基地局に対する前記複数の基地局のうちの前記第１の基地局の位置とに基づいて決められる、と、
前記周波数帯域の前記予約部分上で信号情報を送信することを前記コンピュータにさせるための第２のコードセットと、を備えるコンピュータ可読媒体、
を備えるコンピュータプログラム製品。
【請求項４６】
前記周波数帯域は、予約されない部分をさらに備え、
前記予約部分の１つまたは複数の部分は、前記予約されない部分の１つまたは複数の部分とインターリーブされる、
請求項４５に記載のコンピュータプログラム製品。
【請求項４７】
複数の基地局のうちの第１の基地局に割り当てられる周波数帯域の予約部分の上で使用されるべく、周波数再利用方式を示す情報を受信するために構成される受信器、ここで、前記周波数帯域の前記予約部分は、周波数スペクトルの部分であり、前記周波数スペクトルの部分は、前記複数の基地局のうちの前記第１の基地局の信号トラフィック負荷と、前記複数の基地局のうちの第２の基地局に対する前記複数の基地局のうちの前記第１の基地局の位置とに基づいて決められる、と、
前記周波数帯域の前記予約部分上で信号情報を送信するために構成される送信機と、
を備える装置。
【請求項４８】
前記周波数帯域は、予約されない部分をさらに備え、
前記予約部分の１つまたは複数の部分は、前記予約されない部分の１つまたは複数の部分とインターリーブされる、
請求項４７に記載の装置。
【請求項４９】
複数の基地局のうちの第１の基地局に割り当てられる周波数帯域の予約部分の上で使用されるべく、周波数再利用方式を示す情報を受信するための手段、ここで、前記周波数帯域の前記予約部分は周波数スペクトルの部分であり、前記周波数スペクトルの部分は、前記複数の基地局のうちの前記第１の基地局の信号トラフィック負荷と、前記複数の基地局のうちの第２の基地局に対する前記複数の基地局のうちの前記第１の基地局の位置とに基づいて決められる、と、
前記周波数帯域の前記予約部分上で信号情報を送信するための手段と、
を備える装置。
【請求項５０】
前記周波数帯域は、予約されない部分をさらに備え、
前記予約部分の１つまたは複数の部分は、前記予約されない部分の１つまたは複数の部分とインターリーブされる、
請求項４９に記載の装置。
【請求項５１】
ワイヤレス通信システムにおいて基地局のペアを特定すること、前記基地局のペアは第１の基地局と第２の基地局とを備える、と、
前記第１の基地局と前記第２の基地局とが近くの基地局であるかを決めることと、
前記第１の基地局と前記第２の基地局とを、予約される同じ周波数のサブセットに割り当てることと、
前記第１の基地局と前記第２の基地局とが近くの基地局であることに応答して、前記第１の基地局にフル電力の送信を、前記第２の基地局に低減電力の送信を割り当てることと、
を備える、方法。
【請求項５２】
前記第１の基地局は前記フル電力送信を出力することと、前記第２の基地局は、同時に前記低減電力送信を出力することと、をさらに備える請求項５１に記載の方法。
【請求項５３】
ワイヤレス通信システムにおいて基地局のペアを特定することをコンピュータにさせるための第１のコードセット、前記基地局のペアは第１の基地局と第２の基地局とを備える、と、
前記第１の基地局と前記第２の基地局とが近くの基地局であるかを決めることを、前記コンピュータにさせるための第２のコードセットと、
前記第１の基地局と前記第２の基地局とを予約される同じ周波数のサブセットに割り当てることを前記コンピュータにさせるための第３のコードセットと、
前記第１の基地局と前記第２の基地局とが近くの基地局であることに応答して、前記第１の基地局にフル電力の送信を割り当て、前記第２の基地局に低減電力の送信を割り当てることを、前記コンピュータにさせるための第４のコードセットと、を備えるコンピュータ可読媒体、
を備えるコンピュータプログラム製品。
【請求項５４】
前記第１の基地局は、前記フル電力の送信を出力し、
前記第２の基地局は、同時に前記低減電力の送信を出力する、
請求項５３に記載のコンピュータプログラム製品。
【請求項５５】
ワイヤレス通信システムにおいて基地局のペアを特定すること、前記基地局のペアは第１の基地局と第２の基地局とを備える、と、
前記第１の基地局と前記第２の基地局とが近くの基地局であるかを決めることと、
前記第１の基地局と前記第２の基地局とを予約される同じ周波数のサブセットに割り当てることと、
前記第１の基地局と前記第２の基地局とが近くの基地局であることに応答して、前記第１の基地局にフル電力の送信を割り当て、前記第２の基地局に低減電力の送信を割り当てることと、のために構成されるプロセッサ、
を備える装置。
【請求項５６】
前記第１の基地局は、前記フル電力の送信を出力するために割り当てられ、
前記第２の基地局は、同時に前記低減電力の送信を出力するために割り当てられる、
請求項５５に記載の装置。
【請求項５７】
ワイヤレス通信システムにおいて基地局のペアを特定すること、前記基地局のペアは第１の基地局と第２の基地局とを備える、と、
前記第１の基地局と前記第２の基地局とが近くの基地局であるかを決めることと、
前記第１の基地局と前記第２の基地局とを予約される同じ周波数のサブセットに割り当てることと、
前記第１の基地局と前記第２の基地局とが近くの基地局であることに応答して、前記第１の基地局にフル電力の送信を割り当て、前記第２の基地局に低減電力の送信を割り当てることと、を行うために構成される処理手段、
を備える装置。
【請求項５８】
前記第１の基地局は、前記フル電力の送信を出力するために割り当てられ、
前記第２の基地局は、同時に前記低減電力送信を出力するために割り当てられる、
請求項５７に記載の装置。
【請求項５９】
ワイヤレス通信システムにおいて基地局のペアを特定すること、前記基地局は第１の基地局と第２の基地局とを備える、と、
前記第１の基地局と前記第２の基地局とが近くの基地局であるかを決めることと、
前記第１の基地局と前記第２の基地局とを予約される同じ周波数のサブセットに割り当てることと、
前記第１の基地局と前記第２の基地局とが近くの基地局であることに応答して、前記第１の基地局に第１の電力レベルを、前記第２の基地局に第２の電力レベルを割り当てること、前記第１の電力レベルと前記第２の電力レベルとは異なるとともに、前記第１の基地局と前記第２の基地局とからの同時送信のために割り当てられる、と、
を備える方法。
【請求項６０】
前記第１の電力レベルは前記第２の電力レベルよりも大きい、請求項５９に記載の方法。
【請求項６１】
ワイヤレス通信システムにおいて基地局のペアを特定することをコンピュータにさせるための第１のコードセット、前記基地局のペアは、第１の基地局と第２の基地局とを備える、と、
前記第１の基地局と前記第２の基地局とが近くの基地局であるかを決めることを、前記コンピュータにさせるための第２のコードセットと、
前記第１の基地局と前記第２の基地局とを予約される同じ周波数のサブセットに割り当てることを前記コンピュータにさせるための第３のコードセットと、
前記第１の基地局と前記第２の基地局とが近くの基地局であることに応答して、前記第１の基地局に第１の電力レベルを、前記第２の基地局に第２の電力レベルを割り当てることを前記コンピュータにさせるための第４のコードセット、前記第１の電力レベルと前記第２の電力レベルとは、異なるとともに、前記第１の基地局と前記第２の基地局とからの同時送信のために割り当てられる、と、を備えるコンピュータ可読媒体、
を備えるコンピュータプログラム製品。
【請求項６２】
前記第１の電力レベルは前記第２の電力レベルよりも大きい、請求項６１に記載のコンピュータプログラム製品。
【請求項６３】
ワイヤレス通信システムにおいて基地局のペアを特定すること、前記基地局のペアは第１の基地局と第２の基地局とを備える、と、
前記第１の基地局と前記第２の基地局とが近くの基地局であるかを決めることと、
前記第１の基地局と前記第２の基地局とを予約される同じ周波数のサブセットに割り当てることと、
前記第１の基地局と前記第２の基地局とが近くの基地局であることに応答して、前記第１の基地局に第１の電力レベルを、前記第２の基地局に第２の電力レベルを割り当てること、前記第１の電力レベルと前記第２の電力レベルは、異なるとともに、前記第１の基地局と前記第２の基地局とからの同時送信のために割り当てられる、とのために構成されるプロセッサ、
を備える装置。
【請求項６４】
前記第１の電力レベルは前記第２の電力レベルよりも大きい、請求項６３に記載の装置。
【請求項６５】
ワイヤレス通信システムにおいて基地局のペアを特定すること、前記基地局のペアは第１の基地局と第２の基地局とを備える、と、
前記第１の基地局と前記第２の基地局とが近くの基地局であるかを決めることと、
前記第１の基地局と前記第２の基地局とを予約される同じ周波数のサブセットに割り当てることと、
前記第１の基地局と前記第２の基地局とが近くの基地局であることに応答して、前記第１の基地局に第１の電力レベルを、前記第２の基地局に第２の電力レベルを割り当てること、前記第１の電力レベルと前記第２の電力レベルとは、異なるとともに、前記第１の基地局と前記第２の基地局とからの同時送信のために割り当てられる、とのために構成される処理手段、
を備える装置。
【請求項６６】
前記第１の電力レベルが前記第２の電力レベルよりも大きい、請求項６５に記載の装置。
【請求項６７】
ワイヤレス通信システムにおいて基地局のペアを特定すること、前記基地局のペアは第１の基地局と第２の基地局とを備える、と、
前記第１の基地局と前記第２の基地局とが近くの基地局であるかを決めることと、
前記第１の基地局と前記第２の基地局とが近くの基地局であることに応答して、前記第１の基地局を予約される第１の周波数のサブセットに割り当て、前記第２の基地局を予約される第２の周波数のサブセットに割り当てることと、
前記第１の基地局と前記第２の基地局とが近くの基地局でないことに応答して、前記第１の基地局と前記第２の基地局とを予約される同じ周波数のサブセットに割り当てることと、
を備える方法。
【請求項６８】
前記第１の基地局と前記第２の基地局とが近くの基地局でないことに応答して、前記第１の基地局に第１の電力レベルを、前記第２の基地局に第２の電力レベルを割り当てることをさらに備え、
前記第１の電力レベルと前記第２の電力レベルとは実質的に等しい、
請求項６７に記載の方法。
【請求項６９】
ワイヤレス通信システムにおいて基地局のペアを特定することをコンピュータにさせるための第１のコードセット、前記基地局のペアは第１の基地局と第２の基地局とを備える、と、
前記第１の基地局と前記第２の基地局とが近くの基地局であるかを決めることを前記コンピュータにさせるための第２のコードセットと、
前記第１の基地局と前記第２の基地局とが近くの基地局であることに応答して、前記第１の基地局を予約される第１の周波数のサブセットに割り当て、前記第２の基地局を予約される第２の周波数のサブセットに割り当てることを、前記コンピュータにさせるための第３のコードセットと、
前記第１の基地局と前記第２の基地局とが近くの基地局でないことに応答して、前記第１の基地局と前記第２の基地局とを予約される同じ周波数のサブセットに割り当てることを前記コンピュータにさせるための第４のコードセットと、を備えるコンピュータ可読媒体、
を備えるコンピュータプログラム製品。
【請求項７０】
前記第１の基地局と前記第２の基地局とが近くの基地局でないことに応答して、前記第１の基地局に第１の電力レベルを、前記第２の基地局に第２の電力レベルを割り当てることを前記コンピュータにさせるための第５のコードセットをさらに備え、前記第１の電力レベルと前記第２の電力レベルとは実質的に等しい、
請求項６９に記載のコンピュータプログラム製品。
【請求項７１】
ワイヤレス通信システムにおいて基地局のペアを特定すること、前記基地局のペアは第１の基地局と第２の基地局とを備える、と、
前記第１の基地局と前記第２の基地局とが近くの基地局であるかを決めることと、
前記第１の基地局と前記第２の基地局とが近くの基地局であることに応答して、前記第１の基地局を予約される第１の周波数のサブセットに割り当て、前記第２の基地局を予約される第２の周波数のサブセットに割り当てることと、
前記第１の基地局と前記第２の基地局とが近くの基地局でないことに応答して、前記第１の基地局と前記第２の基地局とを予約される同じ周波数のサブセットに割り当てることと、のために構成されるプロセッサ、
を備える装置。
【請求項７２】
前記プロセッサは、さらに、前記第１の基地局と前記第２の基地局とが近くの基地局でないことに応答して、前記第１の基地局に第１の電力レベルを、前記第２の基地局に第２の電力レベルを割り当てることのために構成され、
前記第１の電力レベルと前記第２の電力レベルとは実質的に等しい、
請求項７１に記載の装置。
【請求項７３】
ワイヤレス通信システムにおいて基地局のペアを特定すること、前記基地局のペアは第１の基地局と第２の基地局とを備える、と、
前記第１の基地局と前記第２の基地局とが近くの基地局であるかを決めることと、
前記第１の基地局と前記第２の基地局とが近くの基地局であることに応答して、前記第１の基地局を予約される第１の周波数のサブセットに割り当て、前記第２の基地局を予約される第２の周波数のサブセットに割り当てることと、
前記第１の基地局と前記第２の基地局とが近くの基地局でないことに応答して、前記第１の基地局と前記第２の基地局とを予約される同じ周波数のサブセットに割り当てることと、のために構成される処理手段、
を備える装置。
【請求項７４】
前記処理手段は、さらに、前記第１の基地局と前記第２の基地局とが近くの基地局でないことに応答して、前記第１の基地局に第１の電力レベルを、前記第２の基地局に第２の電力レベルを割り当てることのために構成され、
前記第１の電力レベルと前記第２の電力レベルとは実質的に等しい、
請求項７３に記載の装置。
【請求項７５】
第１の基地局によって管理されるセルにおける信号トラフィック負荷を決めることと、
前記第１の基地局への割り当てのための周波数スペクトルの部分を決めること、ここで、前記周波数スペクトルの前記部分の決定は、前記信号トラフィック負荷と他の基地局に対する前記第１の基地局の位置とに基づいて行われ、前記周波数スペクトルの前記部分は予約される周波数の部分に対応する、と、
周波数の前記予約部分の上で使用するべく、周波数再利用方式を決めることと、
前記周波数再利用方式を示す情報を前記第１の基地局に送信することと、のために構成される中央コントローラと、
チャネル状態を測定することと、
チャネル状態を示す情報を出力することと、のために構成されるユーザ機器と、
前記周波数再利用方式を示す前記情報を受信することと、
チャネル状態を示す前記情報を受信することと、
前記チャネル状態が選択されるレベルを下回ることに応答して、周波数の前記予約部分上での前記ユーザ機器のための通信をスケジュールすること、ここで、スケジュールされる通信はハンドオーバ信号通信である、と、を行うために構成される基地局と、
を備えるシステム。
【請求項７６】
前記チャネル状態は、前記ユーザ機器において測定される送信電力または受信信号強度測定値のうちの少なくとも１つである、請求項７５に記載のシステム。
【請求項７７】
第１の基地局によって管理されるセルにおける信号トラフィック負荷を決めることと、
前記第１の基地局への割り当てのための周波数スペクトルの部分を決めること、ここで、前記周波数スペクトルの前記部分の決定は、前記信号トラフィック負荷と他の基地局に対する前記第１の基地局の位置とに基づいて行われ、前記周波数スペクトルの前記部分は、予約される周波数の部分に対応する、と、
周波数の前記予約部分の上で使用するべく、周波数再利用方式を決めることと、
前記周波数再利用方式を示す情報を前記第１の基地局に送信することと、のために構成される中央制御手段と、
チャネル状態を測定することと、
チャネル状態を示す情報を出力することと、のために構成されるユーザ機器手段と、
前記周波数再利用方式を示す前記情報を受信することと、
チャネル状態を示す前記情報を受信することと、
前記チャネル状態が選択されるレベルを下回ることに応答して、周波数の前記予約部分上での前記ユーザ機器のための通信をスケジュールすること、ここで、スケジュールされる通信はハンドオーバ信号通信である、と、を行うために構成される基地局手段と、
を備えるシステム。
【請求項７８】
前記チャネル状態が、前記ユーザ機器において測定される送信電力または受信信号強度測定値のうちの少なくとも１つである、請求項７７に記載のシステム。
【請求項７９】
第１の基地局によって管理されるセルにおける信号トラフィック負荷を、中央コントローラによって決めることと、
前記第１の基地局への割り当てのための周波数スペクトルの部分を、前記中央コントローラによって決めること、ここで、前記周波数スペクトルの前記部分の決定は、前記信号トラフィック負荷と他の基地局に対する前記第１の基地局の位置とに基づいて行われ、前記周波数スペクトルの前記部分は、予約される周波数の部分に対応する、と、
周波数の前記予約部分に対して採用すべき周波数再利用方式を、前記中央コントローラにより決めることと、
前記第１の基地局への前記周波数再利用方式を示す情報を、前記中央コントローラから送信することと、
チャネル状態を、前記ユーザ機器で測定することと、
チャネル状態を示す情報を、前記ユーザ機器から出力することと、
前記周波数再利用方式を示す前記情報を、前記基地局で受信することと、
チャネル状態を示す前記情報を、前記基地局で受信することと、
前記チャネル状態が選択されるレベルを下回ることに応答して、周波数の前記予約部分上での前記ユーザ機器に係る通信を、前記基地局でスケジュールすること、ここで、スケジュールされる通信はハンドオーバ信号通信である、と、
を備える方法。
【請求項８０】
前記チャネル状態は、前記ユーザ機器でおいて測定される送信電力または受信信号強度測定値のうちの少なくとも１つである、請求項７９に記載の方法。
【請求項８１】
第１の基地局によって管理されるセルにおける信号トラフィック負荷を判断することを第１のコンピュータにさせるための第１のコードセットと、
前記第１の基地局への割り当てのための周波数スペクトルの部分を決めることを前記第１のコンピュータにさせる第２のコード、ここで、前記周波数スペクトルの前記部分の決定は、前記信号トラフィック負荷と他の基地局に対する前記第１の基地局の位置とに基づいて行われ、前記周波数スペクトルの前記部分は、予約される周波数の部分に対応する、と、
周波数の前記予約部分に対して採用すべき周波数再利用方式を決めることを前記第１のコンピュータにさせるための第３のコードセットと、
前記周波数再利用方式を示す情報を前記第１の基地局に送信することを前記第１のコンピュータにさせるための第４のコードセットと、
チャネル状態を測定することを第２のコンピュータにさせるための第５のコードセットと、
チャネル状態を示す情報を出力することを前記第２のコンピュータにさせるための第６のコードセットと、
前記周波数再利用方式を示す前記情報を受信することを第３のコンピュータにさせるための第７のコードセットと、
チャネル状態を示す前記情報を受信することを前記第３のコンピュータにさせるための第８のコードセットと、
前記チャネル状態が選択されるレベルを下回ることに応答して、周波数の前記予約部分上での前記第２のコンピュータのための通信をスケジュールすることを前記第３のコンピュータにさせるための第９のコードセット、ここで、スケジュールされる通信はハンドオーバ信号通信である、と、
を備えるコンピュータプログラム製品。
【請求項８２】
前記チャネル状態は、前記ユーザ機器で測定される送信電力または受信信号強度測定値のうちの少なくとも１つである、請求項８１に記載のコンピュータプログラム製品。
【発明の詳細な説明】
【技術分野】
【０００１】
以下の説明は、一般に、ワイヤレス通信に関し、特に、ワイヤレス通信システムにおいてハンドオーバ制御を容易にすることに関する。
【背景技術】
【０００２】
ワイヤレス通信システムは、様々なタイプの通信を提供するために広く展開されている。たとえば、そのようなワイヤレス通信システムを介してボイスおよび／またはデータが提供され得る。典型的なワイヤレス通信システム、またはネットワークは、１つまたは複数の共有リソース（たとえば、帯域幅、送信電力）へのアクセスを複数のユーザに提供することができる。たとえば、システムは、周波数分割多重（ＦＤＭ）、時分割多重（ＴＤＭ）、符号分割多重（ＣＤＭ）、直交周波数分割多重（ＯＦＤＭ）、他の様々な多元接続技法を使用することができる。
【０００３】
一般に、ワイヤレス多元接続通信システムは、複数のユーザ機器（ＵＥ）のための通信を同時にサポートすることができる。各ＵＥは、順方向リンクおよび逆方向リンク上での送信を介して１つまたは複数の基地局（ＢＳ）と通信することができる。順方向リンク（または下りリンク（ＤＬ））はＢＳからＵＥへの通信リンクを指し、逆方向リンク（または上りリンク（ＵＬ））はＵＥからＢＳへの通信リンクを指す。この通信リンクは、単入力単出力、多入力単出力、または多入力多出力（ＭＩＭＯ）システムを介して確立され得る。
【０００４】
ＭＩＭＯシステムは、通常、データ送信用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルと呼ばれることがあるＮS個の独立チャネル、ＮS≦｛ＮT，ＮR｝、に分解され得る。ＮS個の独立チャネルの各々は１つの次元に対応する。さらに、複数の送信アンテナおよび受信アンテナによって生成される追加の次元数が利用される場合、ＭＩＭＯシステムは改善される性能（たとえば、増加したスペクトル効率、より高いスループット、および／またはより大きい信頼性）を与えることができる。
【０００５】
ＭＩＭＯシステムは、共通の物理媒体上の順方向リンク通信と逆方向リンク通信とを分割する様々な複信技法をサポートすることができる。たとえば、周波数分割複信（ＦＤＤ）システムは、順方向リンク通信および逆方向リンク通信に対して異なる周波数領域を利用することができる。さらに、時分割複信（ＴＤＤ）システムでは、順方向リンク通信と逆方向リンク通信とが共通の周波数領域を採用することができるので、相反定理により逆方向リンクチャネルから順方向リンクチャネルを推定することが可能である。
【０００６】
ワイヤレス通信システムは、しばしば、カバレージエリアを与えるために１つまたは複数のＢＳを使用する。典型的なＢＳは、ブロードキャスト、マルチキャストおよび／またはユニキャストサービスのために複数のデータストリームを送信することができ、データストリームは、ＵＥの独立した受信対象となることができるデータのストリームであり得る。そのようなＢＳのカバレージエリア内のＵＥは、複合ストリームによって搬送される１つ、２つ以上、またはすべてのデータストリームを受信するために使用され得る。同様に、ＵＥはデータをＢＳまたは別のＵＥに送信することができる。ＢＳが周波数上で送信するＯＦＤＭシステムを用いるようないくつかの実施形態では、近くのＢＳの同時送信によりＵＥよって経験される干渉を低減するために、近くのＢＳに異なる周波数を割り当てるために周波数再利用が使用され得る。
【発明の概要】
【０００７】
以下で、１つまたは複数の実施形態の基本的な理解を与えるために、そのような実施形態の簡略化される概要を提示する。この概要は、予想されるすべての実施形態の包括的な概観ではなく、すべての実施形態の主要または重要な要素を特定するものでも、いずれかまたはすべての実施形態の範囲を定めるものでもない。その唯一の目的は、後で提示される詳細な説明への導入として、１つまたは複数の実施形態のいくつかの概念を簡略化される形で提示することである。
【０００８】
１つまたは複数の実施形態およびその対応する開示に従って、ワイヤレス通信システムにおいて周波数再利用を用いるリソース予約を使用するハンドオーバ制御を容易にすることに関連して、様々な態様が記載される。
【０００９】
関連する態様によれば、方法が提供される。本方法は、１つまたは複数の周波数上での第１の情報の送信のためのスケジューリング情報を送信することをもつことができる。１つまたは複数の周波数は周波数帯域の予約されない部分に対応することができる。本方法はまた、周波数帯域の予約部分に対応する１つまたは複数の周波数上での第２の情報の送信のためのスケジューリング情報を送信することをもつことができる。周波数帯域の予約部分に対応する１つまたは複数の周波数上で周波数再利用方式が使用され得る。
【００１０】
他の関連する態様によれば、コンピュータプログラム製品が提供される。本コンピュータプログラム製品はコンピュータ可読媒体をもつことができる。コンピュータ可読媒体は、周波数帯域の予約されない部分に対応する１つまたは複数の周波数上での第１の情報の送信のためのスケジューリング情報を送信することをコンピュータにさせるための第１のコードセットをもつことができる。コンピュータ可読媒体はまた、周波数帯域の第１の予約部分に対応する１つまたは複数の周波数上での第２の情報の送信のためのスケジューリング情報を送信することをコンピュータにさせるための第２のコードセットをもつことができる。周波数再利用方式は、周波数帯域の第１の予約部分に対応する１つまたは複数の周波数上で使用され得る。
【００１１】
さらに他の態様によれば、装置が提供される。本装置は、周波数再利用方式に従って本装置に割り当てられる周波数帯域の第１の予約部分を示す周波数再利用情報を受信することと、ユーザ機器において経験されるチャネルの品質を示す周波数再利用情報を受信することと、を行うために構成される受信機をもつことができる。本装置はまた、制御ユニットをもつことができる。制御ユニットは、ユーザ機器において経験されるチャネルの品質を決めるために構成されるチャネル品質ユニットをもつことができる。制御ユニットはまた、選択されるレベルよりも低い、ユーザ機器での品質に応答して、周波数帯域の第１の予約部分上での第１の情報の通信をスケジュールするために構成されるスケジューリングユニットをもつことができる。第１の情報は信号情報であり得る。本装置はまた、スケジュールされる通信を示すリソース割り当て情報をユーザ機器に送信するために構成される送信機と、周波数再利用情報を記憶するために構成されるメモリとをもつことができる。
【００１２】
さらに他の態様によれば、他の装置が提供される。本装置は、周波数再利用方式に従って本装置に割り当てられる周波数帯域の第１の予約部分を示す周波数再利用情報を受信するための手段と、通信するための手段で経験されるチャネルの品質を示す情報を受信するための手段とをもつことができる。本装置はまた、通信するための手段で経験されるチャネルの品質を決めるための手段と、選択されるレベルよりも低い、通信するための手段でのチャネルの品質に応答して、周波数帯域の第１の予約部分上の第１の情報の通信をスケジュールするための手段とをもつことができ、第１の情報は信号情報である。本装置はまた、スケジュールされる通信を示すリソース割り当て情報を、“通信するための手段”に送信するための手段と、周波数再利用方式を示す周波数再利用情報を記憶するための手段と、をもつことができる。
【００１３】
さらに他の態様によれば、他の方法が提供される。本方法は、周波数帯域の共通部分に対応する１つまたは複数の周波数を示すとともに、周波数帯域の共通部分に対応する１つまたは複数の周波数上の通信のための第１の情報のタイプを示すスケジューリング情報を、ユーザ機器で受信すること、をもつことができる。本方法はまた、周波数帯域の第１の予約部分に対応する１つまたは複数の予約周波数を示すとともに、１つまたは複数の予約周波数上の通信のための第２の情報のタイプを示すスケジューリング情報を、ユーザ機器で受信すること、をもつことができる。１つまたは複数の予約周波数は、１つまたは複数の予約周波数上で使用される周波数再利用方式に従って、複数の基地局のうちの第１の基地局に割り当てられ得る。
【００１４】
さらに他の態様によれば、他のコンピュータプログラム製品が提供される。本コンピュータプログラム製品は、周波数帯域の共通部分に対応する１つまたは複数の周波数を示し、周波数帯域の共通部分に対応する１つまたは複数の周波数上での通信のための第１の情報のタイプを示すスケジューリング情報をユーザ機器で受信することをコンピュータにさせるための第１のコードセットをもつ、コンピュータ可読媒体を有することができる。コンピュータ可読媒体はまた、周波数帯域の第１の予約部分に対応する１つまたは複数の予約周波数を示し、１つまたは複数の予約周波数上での通信のための第２の情報のタイプを示すスケジューリング情報をユーザ機器で受信することをコンピュータにさせるための第２のコードセットをもつことができる。１つまたは複数の予約周波数は、１つまたは複数の予約周波数上で使用される周波数再利用方式に従って複数の基地局のうちの第１の基地局に割り当てられ得る。
【００１５】
他の態様によれば、装置が提供される。本装置は制御ユニットをもつことができる。制御ユニットは、本装置において経験されるチャネルの品質を測定するために構成される測定ユニットと、予約される周波数の部分または周波数の予約されない部分上での情報の送信および受信をスケジュールするために構成されるスケジューリングユニットとをもつことができる。制御ユニットはまた、予約される周波数の部分または周波数の予約されない部分上での送信に係るデータまたは信号情報を生成するために構成される「ユーザ機器データおよび信号情報生成器」をもつことができる。本装置はまた、本装置において経験されるチャネルの品質を示す情報を、本装置にサービスを提供する基地局に送信するために構成される送信機と、本装置にサービスを提供する基地局からリソース割り当て情報を受信するために構成される受信機とをもつことができる。リソース割り当て情報は、予約される周波数の部分上でまたは周波数の予約されない部分上でデータまたは信号情報を送信することを送信機にさせるためのスケジューリング情報と、予約される周波数の部分上または周波数の予約されない部分上での情報の送信および受信をスケジュールすることをスケジューリングユニットにさせるためのスケジューリング情報と、をもつことができる。本装置はまた、スケジューリング情報を記憶するために構成されるメモリをもつことができる。
【００１６】
さらに他の実施形態によれば、装置が提供される。本装置は、本装置において経験されるチャネルの品質を測定するための手段と、予約される周波数の部分または周波数の予約されない部分上の情報の送信および受信をスケジュールするための手段と、予約される周波数の部分または周波数の予約されない部分上の送信のためのデータまたは信号情報を生成するため、データおよび信号情報を生成するための手段と、をもつことができる。本装置はまた、本装置で経験されるチャネルの品質を示す情報を、本装置にサービスを提供する通信を制御するための手段に、送信するための手段と、本装置にサービスを提供する通信を制御するための手段からリソース割り当て情報を受信するための手段と、をもつことができる。リソース割り当て情報は、予約される周波数の部分上でまたは周波数の予約されない部分上でデータまたは信号情報を送信することを、送信するための手段にさせるためのスケジューリング情報と、予約される周波数の部分上または周波数の予約されない部分上での情報の送信および受信をスケジュールすることをスケジュールするための手段にさせるためのスケジューリング情報と、をもつことができる。本装置はまた、スケジューリング情報を記憶するための手段をもつことができる。
【００１７】
さらに他の態様によれば、装置が提供される。本装置は、本装置で経験されるチャネルの品質を測定するための手段と、予約される周波数の部分または周波数の予約されない部分上の情報の送信および受信をスケジュールするための手段と、予約される周波数の部分または周波数の予約されない部分上での送信のためのデータまたは信号情報を生成するため、データおよび信号情報を生成するための手段とをもつことができる。本装置はまた、本装置で経験されるチャネルの品質を示す情報を、本装置にサービスを提供する通信を制御するための手段に、送信するための手段をもつことができる。本装置はまた、本装置にサービスを提供する通信を制御するための手段から、リソース割り当て情報を受信するための手段をもつことができる。リソース割り当て情報は、予約される周波数の部分上でまたは周波数の予約されない部分上でデータまたは信号情報を送信することを、送信するための手段にさせるためのスケジューリング情報と、予約される周波数の部分上または周波数の予約されない部分上での情報の送信および受信をスケジュールすることを、スケジュールするための手段にさせるためのスケジューリング情報とをもつことができる。本装置はまた、スケジューリング情報を記憶するための手段をもつことができる。
【００１８】
さらに他の態様によれば、他の方法が提供される。本方法は、複数の基地局のうちの第１の基地局に割り当てられる周波数帯域の予約部分上で使用されるべく、周波数再利用方式を示す情報を受信すること、をもつことができる。周波数帯域の予約部分は周波数スペクトルの部分であり、周波数スペクトルの部分は、複数の基地局のうちの第１の基地局の信号トラフィック負荷と、複数の基地局のうちの第２の基地局に対する複数の基地局のうちの第１の基地局の位置とに基づいて決められることができる。本方法はまた、周波数帯域の予約部分上で信号情報を送信すること、をもつことができる。
【００１９】
さらに他の態様によれば、他のコンピュータプログラム製品が提供される。本コンピュータプログラム製品は、複数の基地局のうちの第１の基地局に割り当てられる周波数帯域の予約部分上で使用されるべく、周波数再利用方式を示す情報を受信することをコンピュータにさせるための第１のコードセット、を備えるコンピュータ可読媒体をもつことができる。周波数帯域の予約部分は周波数スペクトルの部分であり、周波数スペクトルの部分は、複数の基地局のうちの第１の基地局の信号トラフィック負荷と、複数の基地局のうちの第２の基地局に対する複数の基地局のうちの第１の基地局の位置とに基づいて決められることができる。コンピュータ可読媒体はまた、周波数帯域の予約部分上で信号情報を送信することをコンピュータにさせるための第２のコードセット、をもつことができる。
【００２０】
さらに他の実施形態では、他の装置が提供される。本装置は、複数の基地局のうちの第１の基地局に割り当てられる周波数帯域の予約部分上で使用されるべく、周波数再利用方式を示す情報を受信するために構成される受信機をもつことができる。周波数帯域の予約部分は周波数スペクトルの部分であり得る。周波数スペクトルの部分は、複数の基地局のうちの第１の基地局の信号トラフィック負荷と、複数の基地局のうちの第２の基地局に対する複数の基地局のうちの第１の基地局の位置とに基づいて判断され得る。本装置はまた、周波数帯域の予約部分上で信号情報を送信するために構成される送信機をもつことができる。
【００２１】
さらに他の実施形態では、他の装置が提供される。本装置は、複数の基地局のうちの第１の基地局に割り当てられる周波数帯域の予約部分上で使用されるべく、周波数再利用方式を示す情報を受信するための手段をもつことができる。周波数帯域の予約部分は周波数スペクトルの部分であり得る。周波数スペクトルの部分は、複数の基地局のうちの第１の基地局の信号トラフィック負荷と、複数の基地局のうちの第２の基地局に対する複数の基地局のうちの第１の基地局の位置とに基づいて判断され得る。本装置はまた、周波数帯域の予約部分上で信号情報を送信するための手段をもつことができる。
【００２２】
他の態様によれば、他の方法が提供される。本方法は、ワイヤレス通信システムにおいて第１の基地局と第２の基地局とを備える基地局のペアを特定することと、第１の基地局と第２の基地局とが近くの基地局であるかどうかを決めることと、第１の基地局と第２の基地局とを予約される同じ周波数のサブセットに割り当てることとをもつことができる。本方法はまた、第１の基地局と第２の基地局とが近くの基地局であることに応答して、第１の基地局にフル電力の送信を割り当て、第２の基地局に低減電力の送信を割り当てることをもつことができる。
【００２３】
さらに他の態様によれば、他のコンピュータプログラム製品が提供される。本コンピュータプログラム製品は、ワイヤレス通信システムにおいて第１の基地局と第２の基地局とを備える基地局のペアを特定することをコンピュータにさせるための第１のコードセットと、第１の基地局と第２の基地局とが近くの基地局であるかどうかを決めることをコンピュータにさせるための第２のコードセットと、第１の基地局と第２の基地局とを予約される同じ周波数のサブセットに割り当てるためのコードとをもつ、コンピュータ可読媒体を有する。コンピュータ可読媒体はまた、第１の基地局と第２の基地局とが近くの基地局であることに応答して、第１の基地局にフル電力の送信を割り当て、第２の基地局に低減電力の送信を割り当てることをコンピュータにさせるための第３のコードセットをもつことができる。
【００２４】
さらに他の実施形態では、他の装置が提供される。本装置は、ワイヤレス通信システムにおいて基地局のペアを特定するために構成されるプロセッサをもつことができる。基地局のペアは第１の基地局と第２の基地局とをもつことができる。プロセッサはまた、第１の基地局と第２の基地局とが近くの基地局であるかどうかを決めることと、第１の基地局と第２の基地局とを予約される同じ周波数のサブセットに割り当てることと、第１の基地局と第２の基地局とが近くの基地局であることに応答して、第１の基地局にフル電力の送信を割り当て、第２の基地局に低減電力の送信を割り当てることとを行うために構成され得る。
【００２５】
さらに他の実施形態では、さらに他の装置が提供される。本装置は、ワイヤレス通信システムにおいて基地局のペアを特定するために構成される処理手段をもつことができる。基地局のペアは第１の基地局と第２の基地局とをもつことができる。プロセッサはまた、第１の基地局と第２の基地局とが近くの基地局であるかどうかを決めることと、第１の基地局と第２の基地局とを予約される同じ周波数のサブセットに割り当ることと、第１の基地局と第２の基地局とが近くの基地局であることに応答して、第１の基地局にフル電力の送信を割り当て、第２の基地局に低減電力の送信を割り当てることとを行うために構成され得る。
【００２６】
他の態様によれば、他の方法が提供される。本方法は、ワイヤレス通信システムにおいて第１の基地局と第２の基地局とを備える基地局のペアを特定することと、第１の基地局と第２の基地局とが近くの基地局であるかどうかを決めることと、第１の基地局と第２の基地局とを予約される同じ周波数のサブセットに割り当てることと、をもつことができる。本方法はまた、第１の基地局と第２の基地局とが近くの基地局であることに応答して、第１の基地局に第１の電力レベルを割り当て、第２の基地局に第２の電力レベルを割り当てることをもつことができる。第１の電力レベルと第２の電力レベルとは、異なるとともに、第１の基地局と第２の基地局とからの同時送信のために割り当てられ得る。
【００２７】
さらに他の態様によれば、他のコンピュータプログラム製品が提供される。本コンピュータプログラム製品は、ワイヤレス通信システムにおいて基地局のペアを特定することをコンピュータにさせるための第１のコードセット、基地局のペアは第１の基地局と第２の基地局とを備える、と、第１の基地局と第２の基地局とが近くの基地局であるかどうかを決定することをコンピュータにさせるための第２のコードセットと、第１の基地局と第２の基地局とを予約される同じ周波数のサブセットに割り当てることをコンピュータにさせるための第３のコードセットと、をもつコンピュータ可読媒体を有する。コンピュータ可読媒体はまた、第１の基地局と第２の基地局とが近くの基地局であることに応答して、第１の基地局に第１の電力レベルを割り当て、第２の基地局に第２の電力レベルを割り当てることをコンピュータにさせるための第４のコードセットをもつことができる。第１の電力レベルと第２の電力レベルとは、異なるとともに、第１の基地局と第２の基地局とからの同時送信のために割り当てられ得る。
【００２８】
他の態様によれば、装置が提供される。本装置は、ワイヤレス通信システムにおいて基地局のペアを特定するために構成されるプロセッサをもつことができる。基地局のペアは第１の基地局と第２の基地局とをもつことができる。プロセッサはまた、第１の基地局と第２の基地局とが近くの基地局であるかどうかを決めることと、第１の基地局と第２の基地局とを予約される同じ周波数のサブセットに割り当てることと、第１の基地局と第２の基地局とが近くの基地局であることに応答して、第１の基地局に第１の電力レベルを割り当て、第２の基地局に第２の電力レベルを割り当てることと、のために構成され、第１の電力レベルと第２の電力レベルとは、異なるとともに、第１の基地局と第２の基地局とからの同時送信のために割り当てられる。
【００２９】
さらに他の態様によれば、他の装置が提供される。本装置は、ワイヤレス通信システムにおいて基地局のペアを特定するために構成される処理手段をもつことができる。基地局のペアは第１の基地局と第２の基地局とをもつことができる。処理手段はまた、第１の基地局と第２の基地局とが近くの基地局であるかどうかを決めることと、第１の基地局と第２の基地局とを予約される同じ周波数のサブセットに割り当てることと、第１の基地局と第２の基地局とが近くの基地局であることに応答して、第１の基地局に第１の電力レベルを割り当て、第２の基地局に第２の電力レベルを割り当てることと、のために構成され、第１の電力レベルと第２の電力レベルとは、異なるとともに、第１の基地局と第２の基地局とからの同時送信のために割り当てられる。
【００３０】
他の態様によれば、他の方法が提供される。本方法は、ワイヤレス通信システムにおいて基地局のペアを特定する、基地局のペアは第１の基地局と第２の基地局とを備える、ことと、第１の基地局と第２の基地局とが近くの基地局であるかどうかを決めることと、第１の基地局と第２の基地局とが近くの基地局であることに応答して、第１の基地局を予約される第１の周波数のサブセットに割り当て、第２の基地局を予約される第２の周波数のサブセットに割り当てることと、をもつことができる。本方法はまた、第１の基地局と第２の基地局とが近くの基地局でないことに応答して、第１の基地局と第２の基地局とを予約される同じ周波数のサブセットに割り当てることをもつことができる。
【００３１】
さらに他の態様によれば、他のコンピュータプログラム製品が提供される。本コンピュータプログラム製品は、ワイヤレス通信システムにおいて基地局のペアを特定することをコンピュータにさせるための第１のコードセット、基地局のペアは第１の基地局と第２の基地局とを備える、と、第１の基地局と第２の基地局とが近くの基地局であるかどうかを決めることをコンピュータにさせるための第２のコードセットと、第１の基地局と第２の基地局とが近くの基地局であることに応答して、第１の基地局を予約される第１の周波数のサブセットに割り当て、第２の基地局を予約される第２の周波数のサブセットに割り当てることをコンピュータにさせるための第３のコードセットと、をもつコンピュータ可読媒体を有する。コンピュータ可読媒体はまた、第１の基地局と第２の基地局とが近くの基地局でないことに応答して、第１の基地局と第２の基地局とを予約される同じ周波数のサブセットに割り当てることをコンピュータにさせるための第４のコードセットをもつことができる。
【００３２】
さらに他の態様によれば、他の装置が提供される。本装置は、ワイヤレス通信システムにおいて基地局のペアを特定するために構成されるプロセッサをもつことができる。基地局のペアは第１の基地局と第２の基地局とをもつことができる。プロセッサはまた、第１の基地局と第２の基地局とが近くの基地局であるかどうかを決めることと、第１の基地局と第２の基地局とが近くの基地局であることに応答して、第１の基地局を予約済の第１の周波数のサブセットに割り当て、第２の基地局を予約済の第２の周波数の第２の予約サブセットに割り当てることと、第１の基地局と第２の基地局とが近くの基地局でないことに応答して、第１の基地局と第２の基地局とを予約される同じ周波数のサブセットに割り当てることと、のために構成され得る。
【００３３】
さらに他の態様によれば、他の装置が提供される。本装置は、ワイヤレス通信システムにおいて基地局のペアを特定するために構成される処理手段をもつことができる。基地局のペアは第１の基地局と第２の基地局とをもつことができる。処理手段はまた、第１の基地局と第２の基地局とが近くの基地局であるかどうかを決めることと、第１の基地局と第２の基地局とが近くの基地局であることに応答して、第１の基地局を予約される第１の周波数のサブセットに割り当て、第２の基地局を予約される第２の周波数のサブセットに割り当てることと、第１の基地局と第２の基地局とが近くの基地局でないことに応答して、第１の基地局と第２の基地局とを予約される同じ周波数のサブセットに割り当てることと、のために構成され得る。
【００３４】
他の態様によれば、システムが提供される。本システムは、中央コントローラと、ユーザ機器と、基地局とをもつことができる。中央コントローラは、第１の基地局によって管理されるセルにおける信号トラフィック負荷を決めることと、第１の基地局への割り当てのための周波数スペクトルの部分を決めることと、のために構成され得る。周波数スペクトルの部分の判断は、信号トラフィック負荷と他の基地局に対する第１の基地局の位置とに基づいて行われ得る。周波数スペクトルの部分は予約される周波数の部分に対応することができる。中央コントローラはまた、予約される周波数の部分上で使用するべく、周波数再利用方式を決めることと、周波数再利用方式を示す情報を第１の基地局に送信することと、のために構成され得る。ユーザ機器は、チャネル状態を測定することと、チャネル状態を示す情報を出力することと、のために構成され得る。基地局は、周波数再利用方式を示す情報を受信することと、チャネル状態を示す情報を受信することと、チャネル状態が選択されるレベルを下回ることに応答して、予約される周波数の部分上でのユーザ機器のための通信をスケジュールすることと、のために構成され、スケジュールされる通信はハンドオーバ信号通信である。
【００３５】
さらに他の態様では、他のシステムが提供される。本システムは、第１の基地局によって管理されるセルにおける信号トラフィック負荷を決めることと、第１の基地局への割り当てのための周波数スペクトルの部分を決めること、周波数スペクトルの部分の決定は信号トラフィック負荷と他の基地局に対する第１の基地局の位置とに基づいて行われる、とのために構成される中央制御手段をもつことができる。周波数スペクトルの部分は予約される周波数の部分に対応することができる。中央制御手段はまた、予約される周波数の部分の上で使用するべく、周波数再利用方式を決めることと、周波数再利用方式を示す情報を第１の基地局に送信することと、のために構成され得る。本システムはまた、チャネル状態を測定することと、チャネル状態を示す情報を出力することと、のために構成されるユーザ機器手段をもつことができる。本システムはまた、周波数再利用方式を示す情報を受信することと、チャネル状態を示す情報を受信することと、チャネル状態が選択されるレベルを下回ることに応答して、予約される周波数の部分上でのユーザ機器のための通信をスケジュールすることと、のために構成される基地局をもち、スケジュールされる通信はハンドオーバ信号通信である。
【００３６】
他の態様では、方法が提供される。本方法は、第１の基地局によって管理されるセルにおける信号トラフィック負荷を中央コントローラにより決めることと、第１の基地局への割り当てのための周波数スペクトルの部分を中央コントローラにより決めること、とをもつことができる。周波数スペクトルの部分の決定は信号トラフィック負荷と他の基地局に対する第１の基地局の位置とに基づいて行われ、周波数スペクトルの部分は予約される周波数の部分に対応することができる。本方法はまた、予約される周波数の部分の上で使用するべく、周波数再利用方式を中央コントローラにより決めることと、第１の基地局への周波数再利用方式を示す情報を、中央コントローラから送信することと、チャネル状態を、ユーザ機器で測定することと、チャネル状態を示す情報をユーザ機器から出力することと、をもつことができる。本方法はまた、周波数再利用方式を示す情報を基地局で受信することと、チャネル状態を示す情報を基地局で受信することと、チャネル状態が選択されるレベルを下回ることに応答して、予約される周波数の部分上でのユーザ機器に係る通信を、基地局でスケジュールすることとをもつことができる。スケジュールされる通信はハンドオーバ信号通信であり得る。
【００３７】
さらに別の態様では、コンピュータプログラム製品が提供される。本コンピュータプログラム製品は、第１の基地局によって管理されるセルにおける信号トラフィック負荷を決めることを第１のコンピュータにさせるための第１のコードセットと、第１の基地局への割り当てのための周波数スペクトルの部分を判断することを第１のコンピュータにさせるための第２のコードセットと、をもつことができる。周波数スペクトルの部分の決定は信号トラフィック負荷と他の基地局に対する第１の基地局の位置とに基づいて行われ、周波数スペクトルの部分は予約される周波数の部分に対応することができる。本コンピュータプログラム製品はまた、予約される周波数の部分上で使用するべく、周波数再利用方式を決めることを第１のコンピュータにさせるための第３のコードセットと、周波数再利用方式を示す情報を第１の基地局に送信することを第１のコンピュータにさせるための第４のコードセットと、チャネル状態を測定することを第２のコンピュータにさせるための第５のコードセットと、チャネル状態を示す情報を出力することを第２のコンピュータにさせるための第６のコードセットと、をもつことができる。本コンピュータプログラム製品はまた、周波数再利用方式を示す情報を受信することを第３のコンピュータにさせるための第７のコードセットと、チャネル状態を示す情報を受信することを第３のコンピュータにさせるための第８のコードセットと、チャネル状態が選択されるレベルを下回ることに応答して、予約される周波数の部分上での第２のコンピュータのための通信をスケジュールすることを第３のコンピュータにさせるための第９のコードセットと、をもつことができる。スケジュールされる通信はハンドオーバ信号通信であり得る。
【００３８】
上記および関連する目的の達成に向けて、１つまたは複数の実施形態は、この中で以降に十分に記載され、特許請求の範囲において特に示される特徴を備える。この中に記載される以下の記載やおよび添付図面は、１つまたは複数の実施形態のいくつかの例示的な態様を詳細に記載する。ただし、これらの態様は、様々な実施形態の原理が利用され得るような様々な方法のほんのいくつかを示すものであり、記載される実施形態は、そのような態様およびそれらの均等物の全てを含むと意図される。
【図面の簡単な説明】
【００３９】
【図１】図１は、この中に記載される態様による周波数再利用を用いるリソース予約を使用して、ハンドオーバ制御を容易にするための例示的なワイヤレス通信システムの図。
【図２】図２は、この中に記載される態様による周波数再利用を用いるリソース予約を使用して、ハンドオーバ制御を容易にするための他の例示的なワイヤレス通信の図。
【図３】図３は、この中に記載される態様によるワイヤレス通信システムにおける周波数リソース予約の図。
【図４】図４は、この中に記載される態様による周波数再利用を用いるリソース予約を使用して、ハンドオーバ制御を容易にするための他の例示的なシステムの図。
【図５】図５は、この中に記載される態様による周波数再利用を使用したリソース予約の方法を示すフローチャート。
【図６】図６は、この中に記載される態様による周波数再利用方式を決める方法を示すフローチャート。
【図７】図７は、この中に記載される態様による周波数再利用方式を決める方法を示すフローチャート。
【図８】図８は、この中に記載される態様による周波数再利用方式を決める方法を示すフローチャート。
【図９】図９は、この中に記載される態様による周波数再利用を用いるリソース予約を使用して、ハンドオーバ制御を容易にするための例示的なシステムの図。
【図１０Ａ】図１０Ａは、この中に記載される態様による周波数再利用を用いるリソース予約を使用して、ハンドオーバ制御を容易にするための例示的なシステムの図。
【図１０Ｂ】図１０Ｂは、この中に記載される態様による周波数再利用を用いるリソース予約を使用して、ハンドオーバ制御を容易にするための例示的なシステムの図。
【図１０Ｃ】図１０Ｃは、この中に記載される態様による周波数再利用を用いるリソース予約を使用して、ハンドオーバ制御を容易にするための例示的なシステムの図。
【図１０Ｄ】図１０Ｄは、この中に記載される態様による周波数再利用を用いるリソース予約を使用して、ハンドオーバ制御を容易にするための例示的なシステムの図。
【図１０Ｅ】図１０Ｅは、この中に記載される態様による周波数再利用を用いるリソース予約を使用して、ハンドオーバ制御を容易にするための例示的なシステムの図。
【図１１Ａ】図１１Ａは、この中に記載される態様による周波数再利用を用いるリソース予約を使用して、ハンドオーバ制御を容易にするための例示的なシステムの図。
【図１１Ｂ】図１１Ｂは、この中に記載される態様による周波数再利用を用いるリソース予約を使用して、ハンドオーバ制御を容易にするための例示的なシステムの図。
【図１２】図１２は、この中に記載される態様による周波数再利用を使用したリソース予約を用いるための方法を示すフローチャート。
【図１３】図１３は、この中に記載される態様による周波数再利用を使用するリソース予約を用いるべく、ユーザ機器を選択するための方法を示すフローチャート。
【図１４】図１４は、この中に記載される態様による周波数再利用を使用したリソース予約を用いるべく、ユーザ機器を選択するための方法を示すフローチャート。
【図１５】図１５は、この中に記載される態様による周波数再利用を用いるリソース予約を使用して、ハンドオーバ制御を容易にするための方法を示すフローチャート。
【図１６】図１６は、この中に記載される態様による周波数再利用を用いるリソース予約を使用して、ハンドオーバ制御を容易にするための例示的なシステムの図。
【詳細な説明】
【００４０】
次に、様々な実施形態が図面を参照しながら記載される。図面全体にわたって、同様の要素を指すのに同様の参照符号が使用される。以下の記載では、説明の目的で、１つまたは複数の実施形態の十分な理解を与えるために多数の具体的な詳細を記載する。ただし、そのような実施形態は、これらの具体的な詳細なしに実施され得ることは明らかであろう。他の例では、１つまたは複数の実施形態の説明を円滑にするために、よく知られている構成やデバイスをブロック図のかたちで示す。
【００４１】
本出願で使用する「コンポーネント」、「モジュール」、「ユニット」、「システム」などの用語は、ハードウェア、ファームウェア、ハードウェアとソフトウェアの組合せ、ソフトウェアおよび／または実行中のソフトウェアなど、コンピュータ関連のエンティティを指すものとする。たとえば、コンポーネントは、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションおよび／またはそのコンピューティングデバイスの両方がコンポーネントであり得る。１つまたは複数のコンポーネントがプロセスおよび／または実行スレッド内に在ることができ、１つのコンポーネントを１つのコンピュータ上に配置し、および／または２つ以上のコンピュータ間に分散することができる。さらに、これらのコンポーネントは、様々なデータ構造を記憶している様々なコンピュータ可読媒体から実行することができる。これらのコンポーネントは、１つまたは複数のデータパケット（たとえば、ローカルシステム、分散システム内、および／または他のシステムを用いるインターネットなどのネットワーク上の別のコンポーネントと信号を介して相互作用する１つのコンポーネントからのデータ）を有する信号によるなど、ローカルおよび／またはリモートプロセスを介して通信することができる。
【００４２】
この中に記載される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア・周波数分割多元接続（ＳＣ−ＦＤＭＡ）および／または他のシステムなど、様々なワイヤレス通信システムに対して使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態をもつ。ＣＤＭＡ２０００は、ＩＳ−２０００、ＩＳ−９５およびＩＳ−８５６規格をカバーする。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１２（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、下りリンク上ではＯＦＤＭＡを採用し、上りリンク上ではＳＣ−ＦＤＭＡを採用するＥ−ＵＴＲＡを使用するＵＭＴＳの来たるべきリリースである。ＵＴＲＡ、Ｅ−ＵＴＲＡ、ＵＭＴＳ、ＬＴＥおよびＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載される。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。そのようなワイヤレス通信システムは、さらに、対ではなく（unpaired)、免許のいらないスペクトルを用いるピア・ツー・ピア（たとえば、モバイル・ツー・モバイル）のアドホックネットワークシステム、８０２．ｘｘのワイヤレスＬＡＮと、ＢＬＵＥＴＯＯＴＨ（登録商標）、および、任意の他の短距離または長距離ワイヤレス通信技法を含み得る。
【００４３】
シングルキャリア・周波数分割多元接続（ＳＣ−ＦＤＭＡ）は、シングルキャリア変調および周波数領域等化を利用する。ＳＣ−ＦＤＭＡは、ＯＦＤＭＡシステムと同様のパフォーマンスおよび本質的に同じ全体的な複雑さを有する。ＳＣ−ＦＤＭＡ信号は、その特有のシングルキャリア構造のためにより低いピーク対平均電力比（ＰＡＰＲ）を有することができる。ＳＣ−ＦＤＭＡは、たとえば、より低いＰＡＰＲが送信電力効率の点でＵＥに大きな利益を与える上りリンク通信において使用され得る。したがって、ＳＣ−ＦＤＭＡは、３ＧＰＰ  Ｌｏｎｇ  Ｔｅｒｍ  Ｅｖｏｌｕｔｉｏｎ（ＬＴＥ）またはＥｖｏｌｖｅｄ  ＵＴＲＡにおいて上りリンク多元接続方式として実装される。
【００４４】
さらに、この中では、ＵＥに関連して、様々な実施形態は記載される。ＵＥは、システム、加入者ユニット、加入者局、移動局、モバイル、リモート局、リモート端末、モバイルデバイス、ユーザ端末、端末、ワイヤレス通信デバイス、ユーザエージェント、ユーザデバイスまたはアクセス端末と呼ばれることもある。ＵＥは、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続される他の処理デバイスであり得る。さらに、この中で、ＢＳに関連し、様々な実施形態が記載される。ＢＳは、ＵＥと通信するために利用され得、アクセスポイント、ノードＢ（Ｎｏｄｅ  Ｂ）、発展型ノードＢ（ｅＮｏｄｅＢ、ｅＮＢ）または何らかの他の用語で呼ばれることもある。
【００４５】
さらに、「または（ｏｒ）」という用語は、排他的な「または」ではなく、包括的な「または」を意味するものとする。すなわち、他に規定されていない限り、または文脈から明白でない限り、「ＸはＡまたはＢを使用する」という句は、自然な包括的置換のいずれかを意味するものとする。すなわち、「ＸはＡまたはＢを採用する」という句は、ＸがＡを使用する場合、ＸがＢを使用する場合、またはＸがＡとＢの両方を使用する場合のいずれによっても充足される。さらに、本出願および添付の特許請求の範囲で使用される冠詞「ａ」および「ａｎ」は、他に規定されていない限り、または単数形を示すことが文脈から明白でない限り、一般的に、「１つまたは複数」を意味するものと解釈されるべきである。
【００４６】
この中に記載される様々な態様または特徴は、標準のプログラミングおよび／またはエンジニアリング技法を使用する、方法、装置、または生産物（ａｒｔｉｃｌｅ ｏｆ Ｍａｎｕｆａｃｔｕｒｅ）として実装され得る。この中で使用される「生産物」という用語は、任意のコンピュータ可読デバイス、キャリア、または媒体からアクセス可能なコンピュータプログラムを包含する。たとえば、コンピュータ可読媒体は、以下に限定はされないが、磁気ストレージデバイス（たとえば、ハードディスク、フロッピー（登録商標）ディスク、磁気ストリップ）、光ディスク（たとえば、コンパクトディスク（ＣＤ）、デジタル・バーサタイル・ディスク（ＤＶＤ））、スマートカード、およびフラッシュメモリデバイス（たとえば、ＥＰＲＯＭ、カード、スティック、キードライブ）を含むことができる。さらに、この中に記載される様々な記憶媒体は、情報を記憶するための１つまたは複数のデバイスおよび／または他の機械可読媒体を表すことができる。「機械可読媒体」という用語は、以下に限定されることはなく、ワイヤレスチャネル、ならびに、コードおよび／または（１つまたは複数の）命令および／またはデータを記憶、保持、および／または搬送することが可能な様々な他の媒体を含むことができる。
【００４７】
図１は、本明細書に記載する様々な態様による周波数再利用を用いるリソース予約を使用して、ハンドオーバ制御を容易にするための例示的なワイヤレス通信システムの図である。システム１００は、複数のアンテナグループをもつことができるＢＳ１０２をもつことができる。たとえば、１つのアンテナグループはアンテナ１０４、１０６をもつことができ、別のグループはアンテナ１０８、１１０を備えることができ、さらなるグループはアンテナ１１２、１１４をもつことができる。アンテナグループごとに２つのアンテナが示されているが、グループごとにより多いまたはより少ないアンテナが利用され得る。ＢＳ１０２は、さらに、当業者により理解されるよういに、各々が信号送信および受信に関連する複数のコンポーネント（たとえば、プロセッサ、変調器、マルチプレクサ、復調器、デマルチプレクサ、アンテナ）を備えることができる、送信機チェーンおよび受信機チェーンをもつ。
【００４８】
ＢＳ１０２は、ＵＥ１１６、１２２などの１つまたは複数のＵＥと通信することができる。ただし、ＢＳ１０２はＵＥ１１６、１２２と同様の実質的に任意の数のＵＥと通信することができることが、理解されるべきである。ＵＥ１１６、１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはシステム１００上で通信するための任意の他の適切なデバイスであり得る。図示のように、ＵＥ１１６はアンテナ１１２、１１４と通信しており、アンテナ１１２、１１４は、ＤＬ１１８上で情報をＵＥ１１６に送信し、ＵＬ１２０上でＵＥ１１６から情報を受信する。さらに、ＵＥ１２２はアンテナ１０４、１０６と通信しており、アンテナ１０４、１０６は、ＤＬ１２４上で情報をＵＥ１２２に送信し、ＵＬ１２６上でＵＥ１２２から情報を受信する。
【００４９】
アンテナの各グループおよび／またはそれらが通信するために指定されるエリアは、ＢＳ１０２のセクタと呼ばれることがある。たとえば、アンテナグループは、ＢＳ１０２によってカバーされるエリアのセクタ中のＵＥに通信するために設計され得る。ＤＬ１１８、１２４上の通信では、ＢＳ１０２の送信アンテナは、ＵＥ１１６、１２２に係るＤＬ１１８、１２４の信号対雑音比を改善するためにビームフォーミングを利用することができる。また、ＢＳ１０２は、関連するカバレージを通してランダムに散在するＵＥ１１６、１２２に送信するためにビームフォーミングを利用するが、ＢＳがシングルアンテナを介してそのすべてのＵＥに送信することと比較して、近くのセルの中にあるＵＥ１１６、１２２は、より小さい干渉を受けるようになり得る。
【００５０】
時分割複信（ＴＤＤ）システムでは、ＤＬ１１８およびＵＬ１２０は共通の周波数帯域を利用することができ、ＤＬ１２４およびＵＬ１２６は共通の周波数帯域を利用することができる。周波数分割複信（ＦＤＤ）システムでは、ＤＬ１１８は、ＵＬ１２０によって使用される周波数帯域とは異なる周波数帯域を利用することができ、ＤＬ１２４は、ＵＬ１２６によって使用される周波数帯域とは異なる周波数帯域を利用することができる。
【００５１】
図２は、この中に記載される態様による周波数再利用を用いるリソース予約を使用して、ハンドオーバ制御を容易にするための他の例示的なワイヤレス通信の図である。システム２００は複数のセル２０２、２０４、２０６、２０８、２１０に分割され得る。複数のセル２０２、２０４、２０６、２０８、２１０の各々はＢＳによってサービスされ得る。たとえば、複数のセル２０２、２０４、２０６、２０８、２１０の各々は、それぞれＢＳ２１２、２１４、２１６、２１８、２２０によってサービスされ得、各ＢＳ２１２、２１４、２１６、２１８、２２０は、構成および／または機能において、図１を参照してＢＳ１０２について記載したものと同様であってよい。図２は、各セルサイズを他のセルの各々のサイズとほぼ等しく示しているが、様々な実施形態では、セルカバレージエリアは各ＢＳから出力される送信電力によって規定され得る。図１を参照して上記したように、各セルは、ＢＳのアンテナグループに対応するセクタにさらに分割され得る。
【００５２】
図示の実施形態では、ＢＳ２１２はＵＥ１２２、１２２’の通信を管理するソースセル２０２中にあり、ＢＳ２１４は、ＵＥ１２２がその方へ移動しており、ハンドオーバが実行され得るターゲットセル２０４中にあり得る。動作中に、ＵＥ１２２、１２２’は、ソースセル２０２のサービス提供ＢＳ２１２からのＵＥで受信される信号の強度と、ターゲットセル２０４のターゲットＢＳ２１４からのＵＥで受信される信号の強度とを測定することができる。ＵＥ１２２は、サービス提供ＢＳ２１２とターゲットＢＳ２１４とから受信される信号の強度を示す情報をもつ信号メッセージを、サービス提供ＢＳ２１２に送信することができる。いくつかの実施形態では、信号の測定は約６００秒〜８００秒かかり得る。ターゲットＢＳ２１４から受信される信号の強度が、ある決められる量、サービス提供ＢＳ２１２から受信される信号の強度よりも大きいとき、サービス提供ＢＳ２１２からターゲットＢＳ２１４へのＵＥ１２２のハンドオーバのために、サービス提供ＢＳ２１２とＵＥ１２２とターゲットＢＳ２１４との間で、ハンドオーバ信号情報が送信され得る。
【００５３】
しかしながら、高いモビリティの環境では、ＵＥ１２２が通信するチャネルの状態は極めて急速に変化し得る。たとえば、チャネルの信号対雑音比（ＳＮＲ）は、ソースセル２０２内の近くの建築物または他の大きい建造物に対するＵＥ１２２の位置に基づいて大幅に変化し得る。さらに、周波数再利用ファクタが１に等しく、したがってサービス提供ＢＳ２１２とターゲットＢＳ２１４とが同じ周波数帯域上で通信するような高いモビリティの環境では、ＵＥ１２２で経験される干渉がサービス提供ＢＳ２１２とターゲットＢＳ２１４との同時通信によって悪化し得るので、ハンドオーバはさらに妥協される。一般的に、ワイヤレス通信システムはハンドオーバを実行するための時間量を制限するので、劣ったチャネル状態が、ハンドオーバが失敗する原因となる、許容できない遅延、呼のドロップ、またはチャネル接続性の他の中断を生じさせる。したがって、周波数再利用方式を使用したリソース予約の実施形態が、ハンドオーバを容易にするためにこの中に記載される。この中に記載される実施形態は、一義的にはハンドオーバと、相応してハンドオーバ信号情報を対象とするが、この中に記載されるシステム、方法および装置は、ワイヤレス通信システムにおいて実行される他の機能、およびワイヤレス通信システムにおいて通信される他のタイプの信号情報に拡張され得る。
【００５４】
図３は、この中に記載される態様による、ワイヤレス通信システムにおける周波数リソース予約の図である。中央コントローラ（図４を参照しながら以下に記載されるものなど）は、ＢＳへの予約の周波数のサブセットと予約されない周波数との割当てを制御するために構成され得る。図２および図３を参照すると、システム２００のための周波数スペクトルは予約されない部分３０２と予約部分３０４とに分割され得る。周波数スペクトルの予約部分３０４は、予約の周波数のサブセット３０６、３０８、３１０など、１つまたは複数の予約の周波数のサブセットをもつことができる。予約部分３０６、３０８、３１０は、予約部分３０６、３０８、３１０に対応する予約の周波数のサブセット上での通信のためにＢＳ２１２、２１４、２１６、２１８、２２０のうちの１つまたは複数に割り当てられ得る。いくつかの実施形態では、予約される周波数のサブセットの各々はリソースブロック（ＲＢ）であり得る。一実施形態では、システム２００は５〜７つのＲＢをもつことができ、各ＢＳは、ＲＢのうちの少なくとも１つの上で通信するために割り当てられ得る。いくつかの実施形態では、予約される周波数の部分は部分周波数再利用（ＦＦＲ：fractional frequency reuse）チャネルに対応することができる。ＲＢのうちの１つまたは複数の周波数ロケーションは周波数スペクトル上の任意の指定されるロケーションであり得るので、様々なブロックの物理周波数ロケーションは、図３に示されているものに限定されない。いくつかの実施形態では、ＲＢに対応する予約周波数のうちの１つまたは複数は、連続し得るかあるいは１つまたは複数の予約されない周波数間にインターリーブされ得る。限定ではなく、例として、ＲＢのうちの１つまたは複数は、周波数スペクトルの上端または下端の１つまたは複数の周波数に位置し得るか、またはその近くに位置し得る。実施形態では、予約周波数における送信は、限定はされないが、異なる周波数ロケーション間の周波数ホッピングをもつ任意の数の方法によって実行され得る。
【００５５】
再び図２および図３を参照すると、予約されない部分３０２は、ＢＳ２１２、２１４、２１６、２１８、２２０のいずれもがその上で通信をすることができるような、周波数の非割当て部分であり得る。
【００５６】
図４は、この中に記載される態様による周波数再利用を用いるリソース予約を使用してハンドオーバ制御を容易にするための他の例示的なシステムの図である。システム１００’は、中央コントローラ４００と、ＢＳ１０２’’と、ＵＥ１２２’’とをもつことができる。中央コントローラ４００はＢＳ１０２’’に通信可能に結合され得、ＢＳ１０２’’はＵＥ１２２’’に通信可能に結合され得る。システム１００’は、この中に記載される態様に従って周波数再利用を採用すべきリソース予約を決めることができる。
【００５７】
中央コントローラ４００は、プロセッサ４０２とメモリ４０４とをもつことができる。プロセッサ４０２は、ＢＳ１０２’’によって管理されるセルにおける信号トラフィック負荷を決めるために構成され得る。いくつかの実施形態では、信号トラフィック負荷は、ハンドオーバのために、および／または信号トラフィックを生成するセルにおける他の機能のために通信されている信号トラフィックの量であり得る。いくつかの実施形態では、信号トラフィック負荷は予期される信号トラフィックの量をもつことができる。予期される信号トラフィックの量は、時間、日、トラフィックパターン、および／または、セル中のＵＥの他のセルに対する地理的な近さに基づき得る。
【００５８】
システム１００’中のＢＳおよびＵＥによる通信のための周波数スペクトルがシステム中に与えられ得る。プロセッサ４０２は、ＢＳ１０２’’をもつＢＳの各々への割り当てのための周波数スペクトルの部分を決めることができる。その判断は信号トラフィック負荷の量に基づいて行われ得、ＢＳ１０２’’に割り振られる周波数スペクトルの部分は、信号トラフィック負荷が増加するにつれて増加する。
【００５９】
いくつかの実施形態では、プロセッサ４０２は、１つまたは複数のＢＳに割り振られる周波数スペクトルの部分を再割り振りするために構成され得る。再割り当ては、トラフィック状態の変化、すなわち、システム１００’中のＢＳの数の増加または減少などに基づき得る。割り振られる周波数スペクトルの部分は、周波数の１つまたは複数の予約部分に対応することができる。限定ではなく、例として、図３を参照すると、ＢＳ１０２’’に割り振られる周波数スペクトルの部分は、予約される周波数のサブセット３０６に対応する周波数スペクトルの部分であり得る。
【００６０】
プロセッサ４０２はまた、１つまたは複数のＢＳに割り振られる予約される周波数の部分に対して採用すべき周波数再利用方式を決めることができる。プロセッサ４０２は、予約される周波数の部分の上で使用すべく、周波数再利用方式を決めるために、図５を参照しながら以下で説明する方法を実行することができる。
【００６１】
中央コントローラ４００はまた、メモリ４０４をもつことができる。メモリ４０４は、限定はされないが、１つまたは複数のセルにおける信号トラフィック負荷、潜在的なターゲットセルへのＵＥの地理的な近さ、ＢＳの送信電力、および／または、近くのＢＳへのＢＳ１０２’’の地理的な近さ、を記憶すること含めて、この中に記載される方法を実行するための任意の数の異なるタイプの情報を記憶するために構成され得る。中央コントローラ４００は、中央コントローラ４００によって決められる周波数再利用方式を示す情報を、ＢＳ１０２’’に送信するために構成され得る。
【００６２】
ＢＳ１０２’’は、プロセッサ４０６とメモリ４０８とをもつことができる。プロセッサ４０６およびメモリ４０８は互いに通信可能に結合され得る。プロセッサ４０６は、ＢＳ１０２、１０２’、１０２’’、２１２、２１４、２１６、２１８、２２０について記載される機能のうちの任意の１つまたは複数を実行するために構成され得る。いくつかの実施形態では、プロセッサ４０６は、メモリ４０８に記憶される、および／または、中央コントローラ４００から受信される１つまたは複数の命令に従って機能を実行する。
【００６３】
ＵＥ１２２’’は、プロセッサ４１０とメモリ４１２とをもつことができる。プロセッサ４１０およびメモリ４１２は互いに通信可能に結合され得る。プロセッサ４１０は、ＵＥ１１６、１２２、１２２’、１２２’’について記載される機能のうちの任意の１つまたは複数を実行するために構成され得る。いくつかの実施形態では、プロセッサ４１０は、メモリ４１２に記憶される、および／または、中央コントローラ４００および／またはＢＳ１０２、１０２’、１０２’’、２１２、２１４、２１６、２１８、２２０から受信される１つまたは複数の命令に従って機能を実行する。
【００６４】
いくつかの実施形態では、システム１００’の方法（図示されず）は以下の通りであり得る。本方法は、第１の基地局によって管理されるセルにおける信号トラフィック負荷を、中央コントローラ４００によって決めることと、第１の基地局への割り当てのための周波数スペクトルの部分を、中央コントローラ４００によって決めることと、をもつことができる。周波数スペクトルの部分の決定は、信号トラフィック負荷と、他の基地局に対する第１の基地局の位置とに基づいて行われ、周波数スペクトルの部分は予約される周波数の部分に対応することができる。本方法はまた、予約される周波数の部分に対して採用すべき周波数再利用方式を中央コントローラ４００により決めることと、第１の基地局への周波数再利用方式を示す情報を中央コントローラ４００から送信することと、チャネル状態をＵＥ１２２’’で測定することと、チャネル状態を示す情報をＵＥ１２２’’から出力することと、をもつことができる。本方法はまた、周波数再利用方式を示す情報をＢＳ１０２’’で受信することと、チャネル状態を示す情報をＢＳ１０２’’で受信することと、チャネル状態が選択されるレベルを下回ることに応答して、予約される周波数の部分上でのＵＥ１２２’’のための通信をＢＳ１０２’’でスケジュールすることと、をもつことができる。スケジュールされる通信はハンドオーバ信号通信であり得る。
【００６５】
図５は、この中に記載される態様による、周波数再利用を採用したリソース予約の方法を示すフローチャートである。図４および図５を参照すると、いくつかの実施形態では、方法５００は中央コントローラ４００によって実行され得る。方法５００は、ＢＳ１０２’’によって管理されるセルにおける信号トラフィック負荷５０２を決めることをもつことができる。５０４において、方法５００は、ＢＳ２１２への割り当てのための周波数スペクトルの部分を決めることをもつことができる。５０６において、本方法は、予約される周波数の部分の上で使用すべく、周波数再利用方式を決めることをもつことができる。５０８において、本方法は、予約周波数に対応する周波数スペクトルの部分に対して周波数再利用方式を採用することをもつことができる。したがって、周波数再利用は、周波数スペクトル中の選択される周波数の部分の上でのみ使用され得る。本方法はまた、周波数再利用方式を示す情報を送信すること（図示せず）をもつことができる。情報はＢＳ１０２’’に送信され得る。
【００６６】
再び図４を参照すると、ＢＳ１０２’’は、中央コントローラ４００から周波数再利用方式を示す情報を受信するために構成され得る。いくつかの実施形態では、情報はまた、もしあれば、ＢＳ１０２’’に割り振られる予約される周波数の部分を特定する情報をもつことができる。ＢＳ１０２’’はまた、ＢＳ１０２’’によって管理されるセル中のＵＥ１２２’’に通信可能に結合され得、ＵＥ１２２’’から、ＵＥ１２２’’が経験するチャネル状態を示す情報を受信することができる。チャネル状態は現在のチャネル状態および／または過去のチャネル状態であり得る。いくつかの実施形態では、チャネル状態は、近い将来に経験することをＵＥが予測するチャネル状態であり得る。
【００６７】
ＢＳ１０２’’は、ＵＥ１２２’’において経験されるチャネル状態を示す情報を、しきい値などの選択されるレベルと比較することができる。チャネル状態が選択されるレベルよりも低いとき、チャネル状態は劣っていると見なされ得、ＢＳは、周波数帯域の予約部分において信号通信を行うためにＵＥ１２２’’をスケジュールすることによって、ＵＥ１２２’’に信号サポートを提供することができる。たとえば、ＢＳ１０２’’は、劣ったチャネル状態にもかかわらず、正常なハンドオーバの可能性を高めるため、予約される周波数の部分上でハンドオーバ信号情報を通信するようにＵＥ１２２’’をスケジュールすることができる。
【００６８】
ＵＥ１２２’’は、チャネル状態を測定するために構成され、したがって、チャネル状態を示す情報をＢＳ１０２’’に送ることができる。様々な実施形態では、チャネル状態は、これらに限定はされないが、ＢＳ１０２’’から、および、ＵＥ１２２’’が検出し得るシステム中の他のＢＳ（図示せず）からの信号の送信電力、チャネル品質インジケータ（ＣＱＩ）、受信信号強度インジケータ（ＲＳＳＩ）測定値、受信信号強度、基準信号受信電力（ＲＳＲＰ）、基準信号受信品質（ＲＳＲＱ）、および／または、ＵＥ１２２’’により経験されるチャネル品質を決めるために、ＵＥによって測定され、ＢＳ１０２’’によって使用され得る他の変数をもつことができる。様々な実施形態では、受信信号強度は、選択されるセルに係る受信信号強度であり得、したがってセル固有であり得る。
【００６９】
図６〜図８は、この中に記載されるような、予約される周波数の部分の上で使用されるための周波数再利用方式について説明するフローチャートの図である。これらの方法に従って、システム中のどのＢＳが周波数のどの予約部分に割り当てられ得るかを決める様式が実行され得る。したがって、図６〜図８は、図５の５０６において実行され得る方法の実施形態を示すことができる。したがって、図６〜図８は、それぞれ方法５０６’、５０６’’、５０６’’’として参照される。
【００７０】
最初に図６を参照すると、６０２において、方法５０６’は、ＢＳのペアを特定することをもつことができる。たとえば、方法５０６’は、ＢＳ１０２’’とＢＳ１０２’とを特定することができる。６０４において、方法５０６’は、ＢＳ１０２’’とＢＳ１０２’とが近くのＢＳであるかどうかを決めることができる。それらのＢＳが近くにある場合、６０８において、方法５０６’は、ＢＳ１０２’に割り当てられる予約される周波数のサブセットとは異なる予約される周波数のサブセットにＢＳ１０２’’を割り当てることができる。それらのＢＳが近くにない場合、６０６において、方法５０６’は、ＢＳ１０２’’とＢＳ１０２’とを予約される同じ周波数のサブセットに割り当てることができる。当該ＢＳは、信号トラフィックを通信するために予約される周波数のサブセットに割り当てられ得る。限定ではなく、例として、信号トラフィックはハンドオーバ信号メッセージであり得る。いくつかの実施形態では、割当てはまた、予約周波数リソースが利用可能なとき、ＢＳが予約される周波数のサブセット上でデータを通信することを許す。たとえば、ＢＳが選択される時間に信号情報を通信していない場合、割当ては、ＢＳが、帯域幅使用に関して許容できる効率レベルを維持するためにデータを通信することを許す。
【００７１】
図７を参照すると、７０２において、方法５０６’’は、ＢＳのペアを特定することをもつことができる。たとえば、方法５０６’’は、ＢＳ１０２’’とＢＳ１０２’とを特定することができる。７０４において、方法５０６’’は、ＢＳ１０２’’とＢＳ１０２’とが近くのＢＳであるかどうかを決めることができる。７０８において、ＢＳが近くにある場合、方法５０６’’は、ＢＳ１０２’’とＢＳ１０２’とを同じ予約周波数に割り当て、一方のＢＳにフル電力の送信を、他方のＢＳに低減電力を割り当てることができる。たとえば、方法５０６’’は、ＢＳ１０２’’にフル電力の送信を、ＢＳ１０２’に低減電力の送信を割り当てることができる。それらのＢＳが近くにない場合、７０６において、方法５０６’’は、電力レベルの割当てなしに、ＢＳ１０２’’とＢＳ１０２’とを予約される同じ周波数のサブセットに割り当てることができる。当該ＢＳは、信号トラフィックを通信するために、予約される周波数のサブセットに割り当てられ得る。限定ではなく、例として、信号トラフィックはハンドオーバ信号メッセージであり得る。いくつかの実施形態では、割当てはまた、予約周波数リソースが利用可能なとき、ＢＳが予約される周波数のサブセット上でデータを通信することを許す。たとえば、ＢＳが選択される時間に信号情報を通信していない場合、割当ては、ＢＳが、帯域幅使用に関して許容できる効率レベルを維持するためにデータを通信することを許すことができる。
【００７２】
次に図８を参照すると、８０２において、方法５０６’’’は、ＢＳのペアを特定することをもつことができる。たとえば、方法５０６’’’は、ＢＳ１０２’’とＢＳ１０２’とを特定することができる。８０４において、方法５０６’’’は、ＢＳ１０２’’とＢＳ１０２’とが近くのＢＳであるかどうかを決めることができる。８０８において、ＢＳが近くにある場合、方法５０６’’’は、ＢＳ１０２’’とＢＳ１０２’とを予約される同じ周波数に割り当て、ＢＳ１０２’’とＢＳ１０２’とに異なる送信電力レベルを割り当てることができる。送信電力レベルは、同時タイムスロット中のＢＳ１０２’’とＢＳ１０２’とからの送信のための電力出力レベルを制御することができる。８０６において、それらのＢＳが近くにない場合、本方法は、ＢＳ１０２’’とＢＳ１０２’とを予約される同じ周波数のサブセットに割り当てることができる。当該ＢＳは、信号トラフィックを通信するために予約される周波数のサブセットに割り当てられ得る。限定ではなく、例として、信号トラフィックはハンドオーバ信号メッセージであり得る。いくつかの実施形態では、割当てはまた、予約周波数リソースが利用可能なとき、ＢＳが予約される周波数のサブセット上でデータを通信することを許す。たとえば、ＢＳが選択される時間に信号情報を通信していない場合、割当ては、ＢＳが、帯域幅使用に関して許容できる効率レベルを維持するためにデータを通信することを許す。
【００７３】
図９は、この中に記載される態様による周波数再利用を用いるリソース予約を使用し、ハンドオーバ制御を容易にするための例示的なシステムの図である。図示の実施形態では、システム１００’’はＢＳ１０２’とＵＥ１２２’とをもつことができる。ＢＳ１０２’は、リソース割り当て情報ならびに／あるいは他のデータまたは信号情報をＵＥ１２２’に通信するために、ＵＥ１２２’に通信可能に結合され得る。同様に、図示されていないが、ＵＥ１２２’は、ＵＬ上でデータまたは信号情報をＢＳ１０２’に通信することができる。ＢＳ１０２’およびＵＥ１２２’はまた、それぞれＤＬおよびＵＬ上で互いに情報を受信することができる。いくつかの実施形態では、ＤＬは、リソース割り当て情報９２０が受信されるＤＬなどであり得る。
【００７４】
ＢＳ１０２’は、制御（コントロール）ユニット９０２と、送信機９１２と、受信機９１４と、メモリ９１６とをもつことができる。制御ユニット９０２は、チャネル品質ユニット９０４と、スケジューリングユニット９０６と、電力制御ユニット９０８と、ＢＳデータ／信号情報生成器９１０とをもつことができる。チャネル品質ユニット９０４は、ＵＥ１２２’が経験するチャネルの品質を決めるために構成され得る。チャネル品質ユニット９０４は、限定はされないが、ＢＳ１０２’からＵＥ１２２’で経験される受信信号強度、ＲＳＲＰ、ＲＳＲＱ、ＲＳＳＩ測定値、ＣＱＩ情報、および／または、送信電力を含む、ＵＥ１２２’から受信されるいくつかの様々なタイプの情報のいずれかに基づいてチャネルの品質を決めることができる。様々な実施形態では、チャネル品質ユニット９０４は、図１３および図１４を参照しながら以下に記載される方法に従ってチャネルの品質を決めることができる。
【００７５】
スケジューリングユニット９０６は、ＢＳ１０２’に割り当てられる予約される周波数の部分上での、および／または、予約されない周波数の部分上での通信のために、ＵＥ１２２’（またはＢＳ１０２’によって管理されるセル中の他のＵＥ）をスケジュールするために構成され得る。スケジューリングは、ＤＬまたはＵＬ上でのＵＥ１２２’による通信のためのものである。いくつかの実施形態では、ＢＳは、ＵＥ１２２’がハンドオーバサポートを要求するかまたは必要求するだろう、ハンドオーバを実行するかまたは実行するだろうという可能性に基づいて、および／または、ＵＥ１２２’により経験されるチャネル状態に基づいて、スケジュールされるべく、ＵＥを選択することができる。様々な実施形態では、スケジューリングユニット９０６は、図１２、図１３および図１４を参照して以下で説明する方法に従ってＵＥをスケジュールすることができる。
【００７６】
再び図９を参照すると、電力制御ユニット９０８は、ＢＳ１０２’から出力される信号における電力レベルを制御するために構成され得る。たとえば、図７および図８を参照して記載される周波数再利用を実行する方法に関して、電力制御ユニット９０８は、ＢＳ１０２’がフル送信電力レベルを出力するかまたは低減電力レベルを出力するかを制御することができる。したがって、いくつかの実施形態では、電力制御ユニット９０８は、ＢＳ１０２’が動作するための周波数再利用方式に従って電力を制御することができる。
【００７７】
ＢＳデータ／信号情報生成器９１０は、ＵＥ１２２’への送信のためのデータまたは信号情報を生成するために構成され得る。信号情報は任意の信号情報であり得る。いくつかの実施形態では、信号情報はＢＳ１０２’から別のＢＳへのＵＥ１２２’のハンドオーバのための情報であり得る。ＢＳデータ／信号情報生成器９１０は、図６、図７および図８を参照して上記される周波数再利用方式に従って、選択される周波数上での送信のためのデータまたは信号情報を生成することができる。限定ではなく、例として、ハンドオーバ情報を含む（限定はされない）信号情報は、ＢＳ１０２’に割り当てられる予約される周波数の部分上で送信され、受信されることができ、他方、データは、周波数の予約されない部分上で送信され、受信され得る、というような方法に従ってＢＳデータ／信号情報生成器は動作することができる。予約される周波数の部分がＵＥに十分に割り振られていないか、あるいはＵＥがハンドオーバまたは他の信号サポートを要求しない時間期間中に、ＢＳデータ／信号情報生成器９１０は、予約される周波数の部分上での送信用のデータを生成するために構成され得る。
【００７８】
送信機９１２は、ＢＳ１０２’からデータまたは信号情報を送信するために構成され得る。いくつかの実施形態では、送信機９１２は、情報のタイプに基づいて、選択される周波数上でデータまたは信号情報を送信することができる。たとえば、送信機９１２は、予約される周波数の部分上で信号情報を送信しながら、システム中の予約されない周波数上でデータを送信するために構成され得る。
【００７９】
他の例として、送信機９１２は、リソース割り当て情報をＵＥ１２２’に送信するために構成され得る。リソース割り当て情報は、限定はされないが、ＵＥ１２２’がＵＬおよび／またはＤＬ上で通信するためにスケジュールされる周波数、ＵＥ１２２’が予約および／または予約されない周波数上で送信または受信することができる情報のタイプ、ＵＥ１２２’が通信するためにスケジュールされる予約および／または予約されない周波数、ＵＬおよび／またはＤＬ上での通信のためのタイムスロットをもつことができる。
【００８０】
受信機９１４は、ＵＥ１２２’からデータまたは信号情報を受信するために構成され得る。いくつかの実施形態では、受信機９１４は、情報のタイプに基づいて、選択される周波数上でデータまたは信号情報を受信することができる。たとえば、受信機９１４は、予約される周波数の部分上で信号情報を受信し、予約されない周波数上でデータを受信するために構成され得る。
【００８１】
いくつかの実施形態では、受信機９１４は、ランダムアクセスチャネル上でＵＥ１２２’からの送信を受信するために構成され得る。たとえば、ＵＥ１２２’は、ＵＥ１２２’がチャネルに成功裏にアクセスするであろう機会を改善するために、予約される周波数の部分中のランダムアクセスチャネルを選択するような手法を使用することができる。ＵＥ１２２’は、ＵＥ１２２’がランダムアクセスチャネルに成功裏にアクセスしようと試みている間、別のＵＥがＵＥ１２２’と衝突しないであろう可能性を改善する任意の数のファクタに基づいて、どのランダムアクセスチャネルを選択すべきかを自律的に決めることができる。いくつかの実施形態では、ＵＥ１２２’は、予約される周波数の部分に含まれる周波数帯域中のランダムアクセスチャネルを選択することができる。したがって、これらの実施形態では、劣ったチャネル状態を有する、および／または、ハンドオーバを開始する準備をしているＵＥのみが、予約部分に割り当てられる可能性があり、予約される周波数の部分中のランダムアクセスチャネルは、周波数の予約されない部分中の（１つまたは複数の）ランダムアクセスチャネルよりも少ないＵＥによってアクセスされ得る。したがって、ＵＥは、衝突なしにランダムアクセスチャネル上で通信する機会を改善することができる。
【００８２】
ＢＳ１０２’はまた、周波数再利用情報９１８を記憶するために構成されるメモリ９１６をもつことができる。また、いくつかの実施形態では、メモリ９１６は、この中ではＢＳのいずれかによって実行されるものとして記載される機能および／または方法のいずれかを実行するためのコンピュータコードを記憶することができる。周波数再利用情報９１８は、限定はされないが、ＢＳ１０２’に割り当てられる周波数帯域の予約および予約されない部分、および／または、周波数帯域の予約および予約されない部分に割り当てられるＵＥ、を示す情報をもつことができる。
【００８３】
ＵＥ１２２’は、制御（コントロール）ユニット９２２と、送信機９３０と、受信機９３２と、メモリ９３４とをもつことができる。制御ユニット９２２は、測定ユニット９２４と、スケジューリングユニット９２６と、ＵＥデータ信号情報生成器９２８とをもつことができる。測定ユニット９２４は、ＢＳ１０２’からターゲットＢＳへのハンドオーバが実行されるべきかどうかを決めるために、ＢＳ１０２’およびターゲットＢＳ（図示されず）からの信号電力を測定するために構成され得る。様々な実施形態では、測定ユニット９２４は、受信信号強度、ＢＳ１０２’およびターゲットＢＳからのＲＳＲＰおよび／またはＲＳＲＱ、ＢＳ１０２’またはターゲットＢＳからの送信電力、ならびに／あるいは、ＣＱＩを決めるための測定値、を測定することができる。
【００８４】
スケジューリングユニット９２６は、ＤＬおよび／またはＵＬ上でのＵＥ１２２’へのおよび／またはＵＥ１２２’からの情報の送信および／または受信のスケジューリングのために構成され得る。いくつかの実施形態では、ＢＳ１０２’から受信され、スケジューリング情報９３６としてメモリ９３４に記憶されるリソース割り当て情報によって規定されるよう情報を送信および受信するためにＵＥ１２２’が割り振られる周波数上データおよび／または信号情報をスケジュールするために、スケジューリングユニット９２６は構成され得る。
【００８５】
ＵＥデータ／信号情報生成器９２８は、ＵＥ１２２’からの送信のためのデータまたは信号情報を生成するために構成され得る。信号情報は、任意の信号情報または制御情報であり得る。いくつかの実施形態では、信号情報は、ＢＳ１０２’から別のＢＳへのＵＥ１２２’のハンドオーバのためのハンドオーバ信号メッセージであり得る。ＵＥデータ／信号情報生成器９２８は、図６、図７および図８を参照して上記した周波数再利用方式に従って、選択される周波数上での送信のためのデータまたは信号情報を生成することができる。限定ではなく、例として、ハンドオーバ情報を含む（限定はされない）信号情報がＵＥ１２２’のためにソースＢＳ（すなわち、ＢＳ１０２’）に割り当てられる予約される周波数の部分上で送信および受信され得るような方法に従って、ＵＥデータ／信号情報生成器９２８は動作することができる。
【００８６】
送信機９３０は、ＵＥ１２２’からデータまたは信号情報を送信するために構成され得る。いくつかの実施形態では、送信機９３０は、情報のタイプに基づいて、選択される周波数上でデータまたは信号情報を送信することができる。たとえば、送信機９３０は、ＢＳ１０２’に関連する予約される周波数の部分上で信号情報を送信しながら、予約されない周波数上でデータを送信するために構成され得る。
【００８７】
いくつかの実施形態では、上記で説明したために、送信機９３０は、ランダムアクセスチャネル上でＵＥ１２２’からの送信を送信するために構成され得る。たとえば、ＵＥ１２２’は、ＵＥ１２２’がチャネルに成功裏にアクセスするであろう機会を改善するために周波数帯域の予約部分中のランダムアクセスチャネルを選択するような手法を使用することができる。ＵＥ１２２’は、ＵＥ１２２’がランダムアクセスチャネルに成功裏にアクセスすることを試みている間に他のＵＥがＵＥ１２２’と衝突しない可能性を改善する任意の数のファクタに基づいて、どのランダムアクセスチャネルを選択すべきかを自律的に決めることができる。いくつかの実施形態では、劣ったチャネル状態を有する、および／または、ハンドオーバを開始する準備をしているＵＥのみが、予約部分に割り当てられ、予約される周波数の部分中のランダムアクセスチャネルにアクセスするので、いくつかの実施形態では、ＵＥ１２２’は、予約される周波数の部分に含まれる周波数帯域中のランダムアクセスチャネルを選択することができる。
【００８８】
受信機９３２は、ＢＳ１０２’からデータまたは信号情報を受信するために構成され得る。いくつかの実施形態では、受信機９３２は、選択される周波数上でデータまたは信号情報を受信することができる。たとえば、受信機９３２は、予約周波数上で信号情報を受信し、予約されない周波数上でデータを受信するために構成され得る。他の例として、受信機９３２は、リソース割り当て情報９２０をＵＥ１２２’で受信するために構成され得る。リソース割り当て情報９２０は、限定はされないが、ＵＥ１２２’がＵＬおよび／またはＤＬ上で通信するためにスケジュールされる周波数、ＵＥ１２２’が通信するためにスケジュールされる予約および／または予約されない周波数上でＵＥ１２２’が送信または受信することができる情報のタイプ、ＵＬおよび／またはＤＬ上での通信のためのタイムスロット、および／または、ＵＥ１２２’が周波数の予約されない部分上のみで送信のためにスケジュールされるかどうか、ならびに／あるいは、ＵＥ１２２’が予約される周波数の部分上で信号情報をスケジュールするためのＵＥとして識別されるかどうか、を含むことができる。
【００８９】
図１０Ａは、この中に記載される様々な態様による周波数再利用を用いるリソース予約を使用して、ハンドオーバ制御を容易にするためのシステムのブロック図である。システム１０００は機能ブロックをもつものとして表されており、その機能ブロックは、プロセッサ、ハードウェア、ソフトウェア、ファームウェア、またはそれらの組合せによって実装される機能を表す機能ブロックであり得ることが理解される。システム１０００は、周波数再利用方式を用いるリソース予約を使用してハンドオーバ制御を容易にするために、電子部品からなる論理または物理グルーピング１００２をもつことができる。
【００９０】
電子部品は、連携して働くことができる。たとえば、論理または物理グルーピング１００２は、情報を受信するための電子部品１００４をもつことができる。情報を受信するための電子部品１００４は、システム１０００に割り当てられる周波数帯域の予約部分を示す周波数再利用情報を受信するために構成され得る。情報を受信するための電子部品１００４はまた、ＵＥ（図示されず）において経験されるチャネルの品質を示す情報を受信するために構成され得る。いくつかの実施形態では、情報を受信するための電子部品１００４は、図９を参照して説明される受信機９１４または図４を参照して説明されるプロセッサ４０６であり得る。
【００９１】
論理または物理グルーピング１００２はまた、チャネル品質を決めるための電子部品１００６をもつことができる。チャネル品質を決めるための電子部品１００６は、ＵＥにおいて経験されるチャネルの品質を決めるために構成され得る。チャネル品質は、ＵＥから受信されるチャネルの品質を示す情報に基づいて決められ得る。いくつかの実施形態では、チャネル品質を決めるための電子部品１００６は、図９を参照しながら説明したチャネル品質ユニット９０４または図４を参照しながら説明したプロセッサ４０６であり得る。
【００９２】
論理または物理グルーピング１００２はまた、通信をスケジュールするための電子部品１００８をもつことができる。情報をスケジュールするための電子部品１００８は、ＵＥにおけるチャネル状態に基づいて予約される周波数の部分または予約されない部分上での情報の通信をスケジュールするために構成され得る。たとえば、情報をスケジュールするための電子部品１００８は、ＵＥにおけるチャネルの品質が選択されるレベルよりも低いことに応答して、周波数帯域の予約部分上での信号情報の通信をスケジュールするために構成され得る。信号情報は、限定はしないが、システム１０００から別のシステムへのＵＥのハンドオーバを実行するためのハンドオーバ信号情報をもつことができる。いくつかの実施形態では、通信をスケジュールするための電子部品１００８は、図９を参照しながら説明したスケジューリングユニット９０６または図４を参照しながら説明したプロセッサ４０６であり得る。
【００９３】
論理または物理グルーピング１００２はまた、情報を送信するための電子部品１０１０をもつことができる。情報を送信するための電子部品１０１０は、スケジュールされる通信を示すリソース割り当て情報をＵＥに送信するために構成され得る。スケジュールされる通信は、通信をスケジュールするための電子部品１００８によって生成される情報であり得る。いくつかの実施形態では、情報を送信するための電子部品１０１０は、図９を参照しながら説明した送信機９１２または図４を参照しながら説明したプロセッサ４０６であり得る。
【００９４】
論理または物理グルーピング１００２はまた、データおよび信号情報を生成するための電子部品１０１２をもつことができる。データおよび信号情報を生成するための電子部品１０１２は、周波数帯域の予約されない部分上での送信のためのデータを生成することと、周波数帯域の第１の予約部分上での送信のための信号情報を生成することと、を行うために構成され得る。データまたは信号情報が生成されるタイミング、および／または、生成される情報が予約される周波数の部分か、または、周波数の予約されない部分の上での送信のために生成されるかどうか、は、情報をスケジュールするための電子部品１００８において生成されるスケジューリング情報によって規定され得る。いくつかの実施形態では、データおよび信号情報を生成するための電子部品１０１２は、図９を参照して説明したＢＳデータ／信号情報生成器９１０または図４を参照して説明したプロセッサ４０６であり得る。
【００９５】
論理または物理グルーピング１００２はまた、送信電力を制御するための電子部品１０１４をもつことができる。送信電力を制御するための電子部品１０１４は、システム１０００から送信される情報の電力レベルを制御するために構成され得る。いくつかの実施形態では、送信電力を制御するための電子部品１０１４は、図９を参照して説明した電力制御ユニット９０８または図４を参照して説明したプロセッサ４０６であり得る。
【００９６】
論理または物理グルーピング１００２はまた、記憶するための電子部品１０１６をもつことができる。記憶するための電子部品１０１６は、周波数再利用方式を示す周波数再利用情報を記憶するために構成され得る。いくつかの実施形態では、記憶するための電子部品１０１６は、図９を参照して説明したメモリ９１６または図４を参照して説明したメモリ４０８であり得る。
【００９７】
図１０Ｂは、この中に記載される様々な態様による周波数再利用を用いるリソース予約を使用して、ハンドオーバ制御を容易にするためのシステムのブロック図である。システム１０２０は機能ブロックをもつものとして表されており、その機能ブロックは、プロセッサ、ハードウェア、ソフトウェア、ファームウェア、またはそれらの組合せによって実装される機能を表す機能ブロックであり得ることが理解される。システム１０２０は、周波数再利用方式を用いるリソース予約を使用して、ハンドオーバ制御を容易にするための電子部品の論理または物理グルーピング１０２２をもつことができる。
【００９８】
電子部品は、連携して働くことができる。たとえば、論理または物理グルーピング１０２２は、情報を受信するための電子部品１０２４をもつことができる。情報を受信するための電子部品１０２４は、システム１０２０に割り当てられる周波数帯域の予約部分を示す周波数再利用情報を受信するために構成され得る。周波数帯域の予約部分は周波数スペクトルの部分であり得る。周波数スペクトルの部分は、システム１０２０に係る信号トラフィック負荷と、システム１０２０に関連する装置の第２の装置に対する位置と、に基づいて判断され得る。いくつかの実施形態では、情報を受信するための電子部品１０２４は、図９を参照して説明される受信機９１４または図４を参照して説明されるプロセッサ４０６であり得る。
【００９９】
論理または物理グルーピング１０２２はまた、情報を送信するための電子部品１０２６をもつことができる。情報を送信するための電子部品１０２６は、周波数帯域の予約部分上で信号情報を送信するために構成され得る。いくつかの実施形態では、情報を送信するための電子部品１０２６は、図９を参照して説明される送信機９１２または図４を参照しながら説明されるプロセッサ４０６であり得る。
【０１００】
図１０Ｃは、この中に記載される様々な態様による周波数再利用を用いるリソース予約を使用して、ハンドオーバ制御を容易にするためのシステムのブロック図である。システム１０３０は機能ブロックをもつものとして表されており、その機能ブロックは、プロセッサ、ハードウェア、ソフトウェア、ファームウェア、またはそれらの組合せによって実装される機能を表す機能ブロックであり得ることが理解される。システム１０３０は、情報を処理するための電子部品１０３２をもつことができる。情報を処理するための電子部品１０３２は、ワイヤレス通信システムにおいて基地局のペアを特定するために構成され得る。基地局のペアは第１の基地局と第２の基地局とをもつことができる。情報を処理するための電子部品１０３２はまた、第１の基地局と第２の基地局とが近くの基地局であるかどうかを決めることと、第１の基地局と第２の基地局とを予約される同じ周波数のサブセットに割り当てることと、第１の基地局と第２の基地局とが近くの基地局であることに応答して、第１の基地局にフル電力の送信を割り当て、第２の基地局に低減電力の送信を割り当てることとを行うために構成され得る。いくつかの実施形態では、情報を処理するための電子部品１０３２は、図４を参照して説明されるプロセッサ４０２であり得る。
【０１０１】
図１０Ｄは、この中に記載される様々な態様による周波数再利用を用いるリソース予約を使用して、ハンドオーバ制御を容易にするためのシステムのブロック図である。システム１０４０は機能ブロックをもつものとして表されており、その機能ブロックは、プロセッサ、ハードウェア、ソフトウェア、ファームウェア、またはそれらの組合せによって実装される機能を表す機能ブロックであり得ることが理解される。システム１０４０は、情報を処理するための電子部品１０４２をもつことができる。情報を処理するための電子部品１０４２は、ワイヤレス通信システムにおいて基地局のペアを特定するために構成され得る。基地局のペアは第１の基地局と第２の基地局とをもつことができる。情報を処理するための電子部品１０４２はまた、第１の基地局と第２の基地局とが近くの基地局であるかどうかを決めることと、第１の基地局と第２の基地局とを予約される同じ周波数のサブセットに割り当てることと、第１の基地局と第２の基地局とが近くの基地局であることに応答して、第１の基地局に第１の電力レベルを割り当て、第２の基地局に第２の電力レベルを割り当てることと、のために構成され、第１の電力レベルと第２の電力レベルとは、異なるとともに、第１の基地局と第２の基地局とからの同時送信のために割り当てられる。いくつかの実施形態では、情報を処理するための電子部品１０４２は、図４を参照して説明されるプロセッサ４０２であり得る。
【０１０２】
図１０Ｅは、この中に記載される様々な態様による周波数再利用を用いるリソース予約を使用して、ハンドオーバ制御を容易にするためのシステムのブロック図である。システム１０５０は機能ブロックをもつものとして表されており、その機能ブロックは、プロセッサ、ハードウェア、ソフトウェア、ファームウェア、またはそれらの組合せによって実装される機能を表す機能ブロックであり得ることが理解される。システム１０５０は、情報を処理するための電子部品１０５２をもつことができる。情報を処理するための電子部品１０５２は、ワイヤレス通信システムにおいて基地局のペアを特定するために構成され得る。基地局のペアは第１の基地局と第２の基地局とをもつことができる。情報を処理するための電子部品１０４２はまた、第１の基地局と第２の基地局とが近くの基地局であるかどうかを決めることと、第１の基地局と第２の基地局とが近くの基地局であることに応答して、第１の基地局を予約される第１の周波数のサブセットに割り当て、第２の基地局を予約される第２の周波数のサブセットに割り当てることと、第１の基地局と第２の基地局とが近くの基地局でないことに応答して、第１の基地局と第２の基地局とを予約される同じ周波数のサブセットに割り当てることとを行うために構成され得る。
【０１０３】
いくつかの実施形態では、情報を処理するための電子部品１０４２は、図４を参照して説明されるプロセッサ４０２であり得る。
【０１０４】
図１１Ａは、この中に記載される様々な態様による周波数再利用を用いるリソース予約を使用して、ハンドオーバ制御を容易にするためのシステムの別のブロック図である。システム１１００は機能ブロックをもつものとして表されており、その機能ブロックは、プロセッサ、ハードウェア、ソフトウェア、ファームウェア、またはそれらの組合せによって実装される機能を表す機能ブロックであり得ることが理解される。システム１１００は、周波数再利用を用いるリソース予約を使用してハンドオーバ制御を容易にするための電子部品の論理または物理グルーピング１１０２をもつことができる。
【０１０５】
電子部品の論理または物理グルーピング１１０２は、情報を受信するための電子部品１１０４、情報を送信するための電子部品１１０６、スケジュールするための電子部品１１０８、チャネル品質を測定するための電子部品１１１０、データおよび信号情報を生成するための電子部品１１１２、ならびに／あるいは、スケジューリング情報を記憶するための電子部品１１１４をもつことができる。
【０１０６】
電子部品は、連携して働くことができる。たとえば、論理または物理グルーピング１１０２は、リソース割り当て情報を受信するための電子部品１１０４をもつことができる。リソース割り当て情報は、予約される周波数の部分上でまたは周波数の予約されない部分上でデータまたは信号情報を送信することを、情報を送信するための電子部品１１０６にさせるためのスケジューリング情報をもつことができる。リソース割り当て情報はまた、予約される周波数の部分上または周波数の予約されない部分上での情報の送信および受信をスケジュールすることを、スケジュールするための電子部品１１０８にさせるためのスケジューリング情報をもつことができる。いくつかの実施形態では、情報を受信するための電子部品１１０４は、図９を参照して説明され受信機９３２または図４を参照して説明されるプロセッサ４１０であり得る。
【０１０７】
情報を送信するための電子部品１１０６は、システム１１００において経験されるチャネルの品質を示す情報を、システム１１００にサービスを提供するＢＳに送信するために構成され得る。いくつかの実施形態では、情報を送信するための電子部品１１０６は、図９を参照して説明される送信機９３０または図４を参照して説明されるプロセッサ４１０であり得る。
【０１０８】
スケジュールするための電子部品１１０８は、予約される周波数の部分上または周波数の予約されない部分上での情報の送信および受信をスケジュールするために構成され得る。スケジューリングは、情報を受信するための電子部品１１０４において受信されるスケジューリング情報に基づいて実行され得る。いくつかの実施形態では、情報をスケジュールするための電子部品１１０８は、図９を参照して説明されるスケジューリングユニット９２６または図４を参照して説明されるプロセッサ４１０であり得る。
【０１０９】
チャネル品質を測定するための電子部品１１１０は、システム１１００において経験されるチャネルの品質を測定するために構成され得る。チャネル品質は、システム１１００が位置するセルを管理するＢＳから出力される受信される送信電力、システム１１００におけるＣＱＩ、および／またはシステム１１００における受信信号強度測定値を測定することによって測定され得る。いくつかの実施形態では、チャネル品質を測定するための電子部品１１１０は、図９を参照して説明される測定ユニット９２４または図４を参照して説明されるプロセッサ４１０であり得る。
【０１１０】
データおよび信号情報を生成するための電子部品１１１２は、予約される周波数の部分または周波数の予約されない部分上での送信のためのデータおよび信号情報を生成するために構成され得る。データおよび信号を生成するための電子部品１１１２がデータまたは信号情報を生成するタイミング、ならびに／あるいは、生成される情報が予約される周波数の部分あるいは周波数の予約されない部分の上での送信のために生成されるかどうか、は、情報を受信するための電子部品１１０４において受信されるスケジューリング情報によって規定され得る。いくつかの実施形態では、データおよび信号情報を生成するための電子部品１１１２は、図９を参照して説明されるＵＥデータ／信号情報生成器９２８または図４を参照して説明されるプロセッサ４１０であり得る。
【０１１１】
記憶するための電子部品１１１４は、情報を受信するための電子部品１１０４において受信されるスケジューリング情報を記憶するために構成され得る。いくつかの実施形態では、記憶するための電子部品１１１４は、図９を参照して説明されるメモリ９３４または図４を参照して説明されるメモリ４１２であり得る。
【０１１２】
図１１Ｂは、この中に記載される様々な態様による周波数再利用を用いるリソース予約を使用して、ハンドオーバ制御を容易にするためのシステムの別のブロック図である。システム１１２０は機能ブロックをもつものとして表されており、その機能ブロックは、プロセッサ、ハードウェア、ソフトウェア、ファームウェア、またはそれらの組合せによって実装される機能を表す機能ブロックであり得ることが理解される。システム１１２０は、周波数再利用を用いるリソース予約を使用してハンドオーバ制御を容易にするための電子部品の論理または物理グルーピング１１２２をもつことができる。
【０１１３】
システム１１２０は、中央制御（セントラルコントロール）機能を提供するための電子部品１１２４をもつことができる。中央制御機能を提供するための電子部品１１２４は、第１の基地局によって管理されるセルにおける信号トラフィック負荷を決めることと、第１の基地局への割り当てのための周波数スペクトルの部分を決めることと、のために構成され、周波数スペクトルの部分の決定は、信号トラフィック負荷と他の基地局に対する第１の基地局の位置とに基づいて行われ得る。周波数スペクトルの部分は予約される周波数の部分に対応することができる。中央制御機能を提供するための電子部品１１２４はまた、予約される周波数の部分の上で使用するべく周波数再利用方式を決めることと、周波数再利用方式を示す情報を第１の基地局に送信することと、を行うために構成され得る。いくつかの実施形態では、中央制御機能を提供するための電子部品１１２４は、図４を参照して説明される中央コントローラ４００であり得る。
【０１１４】
システム１１２０は、ユーザ機器機能を提供するための電子部品１１２６をもつことができる。ユーザ機器機能を提供するための電子部品１１２６は、チャネル状態を測定することと、チャネル状態を示す情報を出力することと、を行うために構成され得る。いくつかの実施形態では、ユーザ機器機能を提供するための電子部品１１２６は、図４を参照して説明されるＵＥ１２２’’であり得る。
【０１１５】
システム１１２０は、基地局機能を提供するための電子部品１１２８をもつことができる。基地局機能を提供するための電子部品１１２８は、周波数再利用方式を示す情報を受信することと、チャネル状態を示す情報を受信することと、チャネル状態が選択されるレベルを下回ることに応答して、予約される周波数の部分上でのユーザ機器のための通信をスケジュールすることと、のために構成され、スケジュールされる通信はハンドオーバ信号通信であり得る。いくつかの実施形態では、基地局機能を提供するための電子部品１１２８は、図４を参照して説明されるＢＳ１０２’’であり得る。
【０１１６】
図１２は、この中に記載される態様による周波数再利用を使用したリソース予約を採用するための方法を示すフローチャートである。いくつかの実施形態では、方法１２００は、いくつかの行為を実行するためにプロセッサを使用することをもつことができる。１２０２において、方法１２００は、周波数帯域の予約されない部分に対応する周波数上での情報の送信のためのスケジューリング情報を送信する。１２０４において、方法１２００は、周波数帯域の予約部分に対応する１つまたは複数の周波数上での情報の送信のためのスケジューリング情報を送信する。周波数帯域の予約部分に対応する周波数に対して周波数再利用方式が採用され得る。１２０２および／または１２０４におけるスケジューリング情報の送信は、中央プロセッサを１つまたは複数のＢＳに通信可能に結合する有線または無線のバックホールリンクを介して行われ得る。一実施形態では、中央プロセッサは、図４を参照して説明される中央コントローラ４００であり得る。
【０１１７】
いくつかの実施形態では、周波数再利用方式は、周波数帯域の予約部分に対応する１つまたは複数の周波数への第１のＢＳと他のＢＳとの割当てをもつことができる。予約部分に割り当てられるＢＳは近くにない基地局ＢＳであり得る。１２０６において、方法１２００は、周波数帯域の予約されない部分に対応する周波数上での情報の送信のためにスケジュールされるべく、ＵＥを選択する。１２０８において、方法１２００は、周波数帯域の予約部分に対応する周波数上での情報の送信のために他のＵＥを選択することを実行する。
【０１１８】
様々な実施形態では、方法１２００は、スケジューリングのために選択されるべくＵＥを特定するための特別な方法をもつように、さらに適応され得る。したがって、ステップ１２０６およびステップ１２０８は、図１３および図１４において説明されるようなものであり得る。
【０１１９】
ＢＳは、多くの方法で予約される周波数の部分の上でスケジュールするために、ＵＥを特定することができる。いくつかの実施形態では、ＢＳが、ＵＥのハンドオーバをトリガする（ＵＬおよび／またはＤＬのいずれかの上で）低い信号品質を示す情報をＵＥから受信するとき、ＢＳは信号品質をしきい値と比較することができる。信号品質がしきい値よりも低い場合、ＢＳは予約される周波数の部分上でＵＬおよび／またはＤＬ通信のためにＵＥをスケジュールすることができる。たとえば、図１３および図１４は、この中に記載される態様による周波数再利用を使用したリソース予約を使用するべきユーザ機器を選択するための方法を示すフローチャートである。
【０１２０】
図１３を参照すると、方法１３００は、予約される周波数の部分に対応する周波数上での情報の送信のスケジューリングのためにＵＥを選択するためのものであり得る。
【０１２１】
１３０２において、方法１３００は、ＵＥからチャネル測定値を受信することをもつことができ、１３０４において、チャネル測定値が選択されるレベルを下回るかどうかを決めることをもつことができる。１３０６において、方法１３００は、チャネル測定値が選択されるレベルを下回ることに応答して、予約部分に対応する周波数上での情報の送信のためにＵＥを選択することをもつことができる。予約部分に対応する周波数上での送信に係る情報は、限定はされないが、ハンドオーバ信号情報を含む、信号情報であり得る。
【０１２２】
１３０８において、方法１３００は、チャネル測定値が選択されるレベルを下回らないことに応答して、予約部分に対応する周波数上での情報の送信のためにＵＥを選択しないことをもつことができる。方法１３００はまた、他のＵＥの複数のチャネル測定値を決めることをもつことができる。方法１３００はまた、複数のチャネル測定値のいずれかが選択されるレベルを下回るかどうかを決めることをもつことができる。チャネル測定値は、限定はされないが、ＣＱＩ、ＳＮＲ、信号対干渉比（ＳＩＲ）、ＢＳからの送信電力、受信信号強度、ＲＳＲＰ、ＲＳＲＱ、ＲＳＳＩ、測定経路損失、ＵＬ電力ヘッドルーム報告（ＰＨＲ:Power Headroom Report）および／またはＵＬインターフェアランス・オーバ・サーマル（ＩｏＴ:interference-over-thermal）測定値をもつことができる。
【０１２３】
方法１３００は、チャネル測定値のいずれも選択されるレベルを下回らないことと、したがって、低いチャネル測定値に基づいて予約部分に対応する周波数上での情報の送信のためにＵＥを選択しないこととに応答して、予約部分に対応する周波数上で信号情報の代わりにデータの送信のために１つまたは複数のＵＥを選択すること、をもつことができる。
【０１２４】
次に図１４にうつり、方法１４００は、ＵＥから測定報告を受信することをもつことができる。いくつかの実施形態では、測定報告は無線リソース管理（ＲＲＭ）測定報告であり得る。ＲＲＭ測定報告は信号強度インジケータ測定値（ＳＳＩＭ）をもつことができる。図示される一実施形態では、１４０２において、方法１４００は、ＳＳＩＭ報告を受信することをもつことができる。様々な実施形態では、ＲＲＭ測定報告は、限定されないが、いくつかのＢＳのＲＳＲＰまたはＲＳＲＱをもつことができる。１４０４において、方法１４００は、適宜に選択されるしきい値よりも多い値により、第１のＢＳのＳＳＩＭが第２のＢＳのＳＳＩＭよりも小さいかどうかを決めることをもつことができる。第１のＢＳはＵＥのソースＢＳであり得、第２のＢＳはＵＥの潜在的なターゲットＢＳであり得る。
【０１２５】
１４０６において、第１のＢＳのＳＳＩＭが第２のＢＳのＳＳＩＭよりも小さいことに応答して、方法１４００は、第１の予約部分に対応する周波数上での情報の送信のためにＵＥを選択することをもつことができる。その情報はハンドオーバのための信号情報であり得る。
【０１２６】
１４０８において、第１のＢＳのＳＳＩＭが第２のＢＳのＳＳＩＭよりも小さくないことに応答して、方法１４００は、予約部分に対応する周波数上での情報の送信のために、ＵＥを選択しないことをもつことができる。この実施形態では、ＵＥがサービス提供ＢＳの十分に近くにあり、したがって、ハンドオーバサポートを必要とする可能性がないことをＳＳＩＭ情報が示しているので、任意の１つまたは複数のＵＥは予約されない部分上でデータの送信のためにスケジュールされ得る。
【０１２７】
図１５は、この中に記載される態様による周波数再利用を用いるリソース予約を使用して、ハンドオーバ制御を容易にするための方法を示すフローチャートである。方法１５００は、様々な行為を実行するためにプロセッサを採用することをもつことができる。１５０２において、方法１５００は、周波数帯域の共通部分に対応する周波数を示し、周波数帯域の共通部分に対応する周波数上での通信のための第１の情報のタイプを示すスケジューリング情報を受信する。１５０４において、方法１５００は、周波数帯域の予約部分に対応する予約周波数を示し、予約周波数上での通信のための情報のタイプを示すスケジューリング情報を受信する。予約周波数は、予約周波数に対して採用される周波数再利用方式に従ってＢＳに割り当てられ得る。
【０１２８】
１５０６において、方法１５００は、周波数帯域の共通部分に対応する周波数上でデータを通信することをもつことができる。
【０１２９】
１５０８において、方法１５００は、周波数帯域の予約部分に対応する予約周波数上で信号メッセージを通信することをもつことができる。いくつかの実施形態では、信号メッセージは、ＵＥのサービス提供ＢＳからＵＥのターゲットＢＳへのＵＥのハンドオーバのためのメッセージであり得る。
【０１３０】
いくつかの実施形態では、周波数帯域の予約部分に対応する予約周波数のうちの少なくとも１つは第１のランダムアクセスチャネルに対応することができる。周波数帯域の共通部分に対応する周波数は第２のランダムアクセスチャネルに対応することができる。第１のランダムアクセスチャネルおよび第２のランダムアクセスチャネルはＵＥによってアクセス可能であり得る。図示されないが、方法１５００はまた、ＵＥが経験するチャネル品質をＵＥで測定することと、第１のランダムアクセスチャネルが予約周波数のうちの少なくとも１つに対応するとＵＥで決めることとをもつことができる。さらに、方法１５００は、第１のランダムアクセスチャネルが予約周波数のうちの少なくとも１つに対応し、ＵＥが予約周波数の使用の根拠となる劣ったチャネル品質を有すると判断したことに応答して、ＵＥが、第２のランダムアクセスチャネル上で通信する代わりに第１のランダムアクセスチャネル上で通信することをもつことができる。
【０１３１】
様々な実施形態では、この中に記載される方法ステップおよび／または機能を実行するためのコードをもつコンピュータ可読媒体を有するコンピュータプログラム製品が利用され得る。
【０１３２】
一実施形態は、周波数帯域の予約されない部分に対応する周波数上での情報の送信に係るスケジューリング情報を送信することをコンピュータにさせるための第１のコードセットを記憶するコンピュータ可読媒体を有するコンピュータプログラム製品をもつ。コンピュータ可読媒体はまた、周波数帯域の予約部分に対応する１つまたは複数の周波数上での他の情報の送信に係るスケジューリング情報を送信することをコンピュータにさせるための第２のコードセットを記憶することができる。周波数帯域の予約部分に対応する１つまたは複数の周波数に対して周波数再利用方式が採用され得る。
【０１３３】
いくつかの実施形態では、周波数帯域の予約部分上での送信のためにスケジュールされる情報は、サービス提供ＢＳからターゲットＢＳへのＵＥのハンドオーバのための１つまたは複数のメッセージをもつ信号情報であり得る。周波数再利用方式は、サービス提供ＢＳとターゲットＢＳとが近くのＢＳでないときの、周波数帯域の予約部分に対応する周波数へのサービス提供ＢＳとターゲットＢＳとの割当てをもつことができる。
【０１３４】
いくつかの実施形態では、周波数再利用方式は、サービス提供ＢＳとターゲットＢＳとが近くのＢＳであるときの、周波数帯域の第１の予約部分へのサービス提供ＢＳの割当てと、周波数帯域の第２の予約部分へのターゲットＢＳの割当てとをもつことができる。
【０１３５】
いくつかの実施形態では、コンピュータ可読媒体はまた、周波数帯域の予約されない部分に対応する１つまたは複数の周波数上での情報の送信のために第１のＵＥを選択することをコンピュータにさせるための第３のコードセットと、予約部分に対応する１つまたは複数の周波数上での情報の送信のために第２のＵＥを選択することをコンピュータにさせるための第４のコードセットとをもつ。
【０１３６】
いくつかの実施形態では、予約部分に対応する１つまたは複数の周波数上での情報の送信のために第２のＵＥを選択することをコンピュータにさせるための第４のコードセットは、第２のＵＥからチャネル測定値を受信することをコンピュータにさせるための第５のコードセットと、チャネル測定値が選択されるレベルを下回るかどうかを決めることをコンピュータにさせるための第６のコードセットと、チャネル測定値が選択されるレベルを下回ることに応答して、予約部分に対応する１つまたは複数の周波数上での情報の送信のために第２のＵＥを選択することをコンピュータにさせるための第７のコードセットと、チャネル測定値が選択されるレベルを下回らないことに応答して、予約部分に対応する１つまたは複数の周波数上での情報の送信のために第２のＵＥを選択しないことをコンピュータにさせるための第８のコードセットとをもつことができる。
【０１３７】
いくつかの実施形態では、本コンピュータプログラム製品はまた、システム中の他のＵＥの複数のチャネル測定値を決定することをコンピュータにさせるための第９のコードセットと、ＵＥのいずれかからの複数のチャネル測定値のいずれかが選択されるレベルを下回るかどうかを決定することをコンピュータにさせるための第１０のコードセットとをもつ。本コンピュータプログラム製品はまた、システム中のＵＥのいずれかの複数のチャネル測定値のいずれも選択されるレベルを下回らないことと、予約部分に対応する１つまたは複数の周波数上での情報の送信のために第２のＵＥを選択しないこととに応答して、予約部分に対応する１つまたは複数の周波数上での情報の送信のためにＵＥのうちの少なくとも１つを選択することをコンピュータにさせるための第１１のコードセットをもつことができる。
【０１３８】
いくつかの実施形態では、チャネル測定値は、第２のＵＥにおいて測定されるチャネル品質インジケータ、送信電力または受信信号強度測定値のうちの少なくとも１つであり得る。複数のチャネル測定値は、第２のＵＥ以外の他のＵＥのうちの１つまたは複数からの複数のチャネル品質インジケータ、送信電力および／または受信信号強度測定値であり得る。
【０１３９】
他の実施形態は、コンピュータ可読媒体を有するコンピュータプログラム製品をもつ。コンピュータ可読媒体は、周波数帯域の共通部分に対応する１つまたは複数の周波数を示し、周波数帯域の共通部分に対応する１つまたは複数の周波数上での通信のための第１の情報のタイプを示すスケジューリング情報をＵＥで受信することを、コンピュータにさせるための第１のコードセットをもつことができる。コンピュータ可読媒体はまた、周波数帯域の予約部分に対応する１つまたは複数の予約周波数を示し、１つまたは複数の予約周波数上での通信のための情報のタイプを示すスケジューリング情報をＵＥで受信することをコンピュータにさせるための第２のコードセットをもつことができる。１つまたは複数の予約周波数は、１つまたは複数の予約周波数の上で使用される周波数再利用方式に従ってＢＳに割り当てられ得る。
【０１４０】
いくつかの実施形態では、本コンピュータプログラム製品はまた、周波数帯域の共通部分に対応する１つまたは複数の周波数上でデータをＵＥから通信することをコンピュータにさせるための第３のコードセットと、周波数帯域の予約部分に対応する１つまたは複数の予約周波数上で１つまたは複数の信号メッセージをＵＥから通信することをコンピュータにさせるための第４のコードセットとをもつことができる。
【０１４１】
いくつかの実施形態では、周波数帯域の予約部分に対応する１つまたは複数の予約周波数のうちの少なくとも１つは、第１のランダムアクセスチャネルに対応することができ、周波数帯域の共通部分に対応する１つまたは複数の周波数のうちの少なくとも１つは、第２のランダムアクセスチャネルに対応することができる。第１のランダムアクセスチャネルおよび第２のランダムアクセスチャネルは、ＵＥによってアクセス可能であり得、本コンピュータプログラム製品はまた、ＵＥにおいてＵＥが経験するチャネル品質を測定することをコンピュータにさせるための第５のコードセットと、第１のランダムアクセスチャネルが１つまたは複数の予約周波数のうちの少なくとも１つに対応することをＵＥで決めることを、コンピュータにさせるための第６のコードセットと、第１のランダムアクセスチャネルが１つまたは複数の予約周波数のうちの少なくとも１つに対応すると決めることに応答して、チャネル品質が選択されるレベルよりも低いとき、第１のランダムアクセスチャネル上で通信することをコンピュータにさせるための第７のコードセットとをもつことができる。
【０１４２】
他の実施形態は、コンピュータ可読媒体をもつ他のコンピュータプログラム製品をもつ。コンピュータ可読媒体は、ＢＳに割り当てられる周波数帯域の予約部分に対して採用されるべき周波数再利用方式を示す情報を受信することをコンピュータにさせるための第１のコードセットをもつことができる。周波数帯域の予約部分は周波数スペクトルの部分であり得る。周波数スペクトルの部分は、第１のＢＳの信号トラフィック負荷と、１つまたは複数の他のＢＳに対する第１のＢＳの位置とに基づいて決められ得る。本コンピュータプログラム製品はまた、周波数帯域の予約部分上で信号情報を送信することをコンピュータにさせるための第２のコードセットをもつことができる。
【０１４３】
他の実施形態は、コンピュータ可読媒体をもつ他のコンピュータプログラム製品をもつ。コンピュータ可読媒体は、システムにおいてＢＳのペアを特定することをコンピュータにさせるための第１のコードセットと、ＢＳのペアが近くにあるかどうかを決めることをコンピュータにさせるための第２のコードセットと、ペアの第１のＢＳとペアの第２のＢＳとを予約される同じ周波数のサブセットに割り当てることをコンピュータにさせるための第３のコードセットと、第１のＢＳと第２のＢＳとが近くの基地局であることに応答して、第１のＢＳにフル電力送信を割り当て、第２のＢＳに低減電力送信を割り当てることをコンピュータにさせるための第４のコードセットと、をもつことができる。
【０１４４】
他の実施形態は、コンピュータ可読媒体をもつ別のコンピュータプログラム製品をもつ。コンピュータ可読媒体は、システムにおいてＢＳのペアを特定することをコンピュータにさせるための第１のコードセットと、ＢＳのペアが近くの基地局であるかどうかを決めることをコンピュータにさせるための第２のコードセットと、ペアの第１のＢＳとペアの第２のＢＳとを予約される同じ周波数のサブセットに割り当てることをコンピュータにさせるための第３のコードセットと、ＢＳのペアが近くの基地局であることに応答して、ペアの第１のＢＳに第１の電力レベルを割り当て、ペアの第２のＢＳに第２の電力レベルを割り当てることをコンピュータにさせるための第４のコードセットと、をもつことができる。第１の電力レベルと第２の電力レベルとは、異なるとともに、第１のＢＳと第２のＢＳとからの同時送信のために割り当てられ得る。
【０１４５】
他の実施形態は、コンピュータ可読媒体をもつコンピュータプログラム製品をもつ。コンピュータ可読媒体は、ＢＳのペアを特定することをコンピュータにさせるための第１のコードセットと、ＢＳのペアが近くのＢＳであるかどうかを決めることをコンピュータにさせるための第２のコードセットと、ペアが近くの基地局であることに応答して、ペアの第１のＢＳを周波数の第１の予約サブセットに割り当て、ペアの第２のＢＳを周波数の第２の予約サブセットに割り当てることをコンピュータにさせるための第３のコードセットと、第１のＢＳと第２のＢＳとが近くの基地局でないことに応答して、第１のＢＳと第２のＢＳとを予約される同じ周波数のサブセットに割り当てることをコンピュータにさせるための第４のコードセットとをもつことができる。
【０１４６】
他の実施形態は、他のコンピュータ可読媒体をもつ他のコンピュータプログラム製品をもつ。本コンピュータプログラム製品は、第１の基地局によって管理されるセルにおける信号トラフィック負荷を決めることを第１のコンピュータにさせるための第１のコードセットと、第１の基地局への割り当てのための周波数スペクトルの部分を決めることを第１のコンピュータにさせるための第２のコードセットとをもつことができる。周波数スペクトルの部分の判断は、信号トラフィック負荷と他の基地局に対する第１の基地局の位置とに基づいて行われ得、周波数スペクトルの部分は予約される周波数の部分に対応することができる。本コンピュータプログラム製品はまた、予約される周波数の部分に対して採用すべき周波数再利用方式を決めることを第１のコンピュータにさせるための第３のコードセットと、周波数再利用方式を示す情報を第１の基地局に送信することを第１のコンピュータにさせるための第４のコードセットと、チャネル状態を測定することを第２のコンピュータにさせるための第５のコードセットと、チャネル状態を示す情報を出力することを第２のコンピュータにさせるための第６のコードセットとをもつことができる。本コンピュータプログラム製品はまた、周波数再利用方式を示す情報を受信することを第３のコンピュータにさせるための第７のコードセットと、チャネル状態を示す情報を受信することを第３のコンピュータにさせるための第８のコードセットと、チャネル状態が選択されるレベルを下回ることに応答して、予約される周波数の部分上での第２のコンピュータのための通信をスケジュールすることを第３のコンピュータにさせるための第９のコードセットとをもつことができる。スケジュールされる通信はハンドオーバ信号通信であり得る。
【０１４７】
図１６は、この中に記載される態様による周波数再利用を用いるリソース予約を使用して、ハンドオーバ制御を容易にするための例示的なシステムの図である。次に図１６を参照すると、この中に記載される様々な態様が機能することができる、例示的なシステム１６００を示すブロック図が与えられている。一例では、システム１６００は、送信機システム１６１０と受信機システム１６５０とをもつ多入力多出力（ＭＩＭＯ）システムである。ただし、送信機システム１６１０および／または受信機システム１６５０は、たとえば、（たとえば、基地局上の）複数の送信アンテナが１つまたは複数のシンボルストリームを単一のアンテナデバイス（たとえば、移動局）に送信することができる、多入力単出力システムにも適用され得ることが理解される。さらに、この中に記載される送信機システム１６１０および／または受信機システム１６５０の態様は、単出力単入力アンテナシステムに関して利用され得ることが理解される。
【０１４８】
一態様によれば、送信機システム１６１０において、いくつかのデータストリームのトラフィックデータがデータソース１６１２から送信（ＴＸ）データプロセッサ１６１４に供給される。一例では、各データストリームは、次いで、それぞれの送信アンテナ１６２４を介して送信され得る。さらに、ＴＸデータプロセッサ１６１４は、コード化データを与えるために、それぞれのデータストリーム用に選択される特定のコーディング方式に基づいて、データストリームごとにトラフィックデータをフォーマットし、符号化し、インターリーブすることができる。そして、一例では、各データストリームのコード化データは、ＯＦＤＭ技法を使用してパイロットデータで多重化され得る。パイロットデータは、たとえば、既知の方法で処理される既知のデータパターンであり得る。さらに、パイロットデータは、チャネル応答を推定するために受信機システム１６５０において使用され得る。送信機システム１６１０に戻ると、各データストリームの多重化されるパイロットデータおよびコード化データは、変調シンボルを与えるために、それぞれのデータストリーム用に選択される特定の変調方式（たとえば、ＢＰＳＫ、ＱＳＰＫ、Ｍ−ＰＳＫ、またはＭ−ＱＡＭ）に基づいて変調（すなわち、シンボルマッピング）され得る。一例では、各データストリームのデータレート、コーディング、および変調は、プロセッサ１６３０上で実行される命令および／またはプロセッサ１６３０によって与えられる命令によって判断され得る。
【０１４９】
次に、すべてのデータストリームの変調シンボルはＴＸプロセッサ１６２０に供給され得、ＴＸプロセッサ１６２０は、（たとえば、ＯＦＤＭ用に）変調シンボルをさらに処理することができる。次いで、ＴＸ  ＭＩＭＯプロセッサ１６２０は、ＮT個の変調シンボルストリームをＮT個のトランシーバ１６２２Ａ〜１６２２Ｔに供給することができる。一例では、各トランシーバ１６２２は、それぞれのシンボルストリームを受信し、処理して、１つまたは複数のアナログ信号を与えることができる。次いで、各トランシーバ１６２２は、それらのアナログ信号をさらに調整（たとえば、増幅、フィルタ処理、およびアップコンバート）して、ＭＩＭＯチャネルを介して送信するのに適した被変調信号を与えることができる。したがって、次いで、トランシーバ１６２２Ａ〜１６２２ＴからのＮT個の被変調信号は、それぞれ、ＮT個のアンテナ１６２４Ａ〜１６２４Ｔから送信され得る。
【０１５０】
他の態様によれば、送信される被変調信号は、ＮR個のアンテナ１６５２Ａ〜１６５２Ｒによって受信機システム１６５０において受信され得る。次いで、各アンテナ１６５２からの受信信号は、それぞれのトランシーバ１６５４に供給され得る。一例では、各トランシーバ１６５４は、それぞれの受信信号を調整（たとえば、フィルタ処理、増幅、およびダウンコンバート）し、調整される信号をデジタル化して、サンプルを与え、次いで、それらのサンプルを処理して、対応する「受信」シンボルストリームを与えることができる。次いで、ＲＸデータプロセッサ１６６０は、特定の受信機処理技法に基づいてＮR個のトランシーバ１６５４からＮR個の受信シンボルストリームを受信し、処理して、ＮT個の「検出」シンボルストリームを与えることができる。いくつかの実施形態では、ＲＸデータプロセッサ１６６０はＲＸ  ＭＩＭＯデータプロセッサであり得る。一例では、各検出シンボルストリームは、対応するデータストリームに関して送信される変調シンボルの推定値であるシンボルをもつことができる。次いで、ＲＸデータプロセッサ１６６０は、各検出シンボルストリームを少なくとも部分的に復調し、デインターリーブし、復号することによって、各シンボルストリームを処理して、対応するデータストリームに関するトラフィックデータを復元することができる。したがって、ＲＸデータデータプロセッサ１６６０による処理は、送信機システム１６１０においてＴＸ  ＭＩＭＯプロセッサ１６２０およびＴＸデータプロセッサ１６１４によって実行される処理を補足することができる。ＲＸプロセッサ１６６０は、さらに、処理されるシンボルストリームをデータシンク（図示されない）に供給することができる。
【０１５１】
一態様によれば、ＲＸデータプロセッサ１６６０によって生成されるチャネル応答推定値は、受信機において空間／時間処理を実行し、電力レベルを調整し、変調レートまたは方式を変更し、および／または他の適切なアクションを実行するために使用され得る。さらに、ＲＸデータプロセッサ１６６０は、たとえば、検出シンボルストリームの信号対雑音干渉比（ＳＮＲ）などのチャネル特性をさらに推定することができる。次いで、ＲＸデータプロセッサ１６６０は、推定されるチャネル特性をプロセッサ１６７０に供給することができる。一例では、ＲＸデータプロセッサ１６６０および／またはプロセッサ１６７０は、システムに関する「動作」ＳＮＲの推定値をさらに導出することができる。次いで、プロセッサ１６７０は、通信リンクおよび／または受信データストリームに関する情報を備えることができるチャネル状態情報（ＣＳＩ）を与えることができる。この情報は、たとえば、動作ＳＮＲをもつことができる。次いで、ＣＳＩは、ＴＸデータプロセッサ１６３８によって処理され、変調器１６８０によって変調され、トランシーバ１６５４Ａ〜１６５４Ｒによって調整され、送信機システム１６１０に返信され得る。さらに、受信機システム１６５０にあるデータソース１６３６は、ＴＸデータプロセッサ１６３８によって処理される追加のデータを与えることができる。
【０１５２】
送信機システム１６１０に戻ると、次いで、受信機システム１６５０からの被変調信号は、アンテナ１６２４によって受信され、トランシーバ１６２２によって調整され、復調器１６４０によって復調され、ＲＸデータプロセッサ１６４２によって処理されて、受信機システム１６５０によって報告されるＣＳＩを復元することができる。一例では、報告されるＣＳＩは、次いで、１つまたは複数のデータストリームのために使用されるべきデータレートならびにコーディングおよび変調方式を決めるために、プロセッサ１６３０に供給され、使用され得る。次いで、判断されるコーディングおよび変調方式は、受信機システム１６５０への後の送信における量子化および／または使用のためにトランシーバ１６２２に供給され得る。追加および／または代替として、報告されるＣＳＩは、ＴＸデータプロセッサ１６１４およびＴＸ  ＭＩＭＯプロセッサ１６２０のための様々な制御を生成するためにプロセッサ１６３０によって使用され得る。別の例では、ＲＸデータプロセッサ１６４２によって処理されるＣＳＩおよび／または他の情報はデータシンク（図示されず）に供給され得る。
【０１５３】
一例では、送信機システム１６１０にあるプロセッサ１６３０および受信機システム１６５０にあるプロセッサ１６７０は、それらのそれぞれのシステムにおいて動作を指示する。さらに、送信機システム１６１０にあるデータベース（図示されず）および受信機システム１６５０にあるデータベース（図示されず）は、それぞれプロセッサ１６３０および１６７０によって使用されるプログラムコードおよびデータの記憶域を与えることができる。さらに、受信機システム１６５０において、ＮR個の受信信号を処理して、ＮT個の送信シンボルストリームを検出するために、様々な処理技法が使用され得る。これらの受信機処理技法は、等化技法とも呼ばれることがある空間および時空間受信機処理技法、ならびに／あるいは「逐次干渉消去」または「逐次消去」受信機処理技法とも呼ばれることがある「逐次ヌリング／等化および干渉消去」受信機処理技法をもつことができる。
【０１５４】
本明細書の教示は、少なくとも１つの他のノードと通信するための様々なコンポーネントを採用するノード（たとえば、デバイス）に組み込まれ得る。図１６に、ノード間の通信を容易にするために採用され得るいくつかの例示的なコンポーネントを示す。詳細には、図１６は、ＭＩＭＯシステム１６００のワイヤレスデバイス（たとえば、アクセスポイント）およびワイヤレスデバイス１６５０（たとえば、ＵＥ）を示している。デバイス１６１０では、いくつかのデータストリームのトラフィックデータが、データソース１６１２から送信（「ＴＸ」）データプロセッサ１６１４に供給される。
【０１５５】
いくつかの態様では、各データストリームは、それぞれの送信アンテナを介して送信される。ＴＸデータプロセッサ１６１４は、コード化データを与えるために、そのデータストリーム用に選択される特定のコーディング方式に基づいて、データストリームごとにトラフィックデータをフォーマットし、コード化し、インターリーブする。
【０１５６】
各データストリームのコード化データは、ＯＦＤＭ技法を使用してパイロットデータで多重化され得る。パイロットデータは、典型的には、知られている方法で処理される、知られているデータパターンであり、チャネル応答を推定するために受信機システムにおいて使用され得る。次いで、各データストリームの多重化されるパイロットデータおよびコード化データは、変調シンボルを与えるために、そのデータストリーム用に選択される特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ１６３０によって実行される命令によって判断され得る。データメモリ１６３２は、プロセッサ１６３０またはデバイス１６１０の他のコンポーネントによって使用されるプログラムコード、データ、および他の情報を記憶し得る。
【０１５７】
次いで、すべてのデータストリームの変調シンボルがＴＸ  ＭＩＭＯプロセッサ１６２０に供給され、ＴＸ  ＭＩＭＯプロセッサ１６２０はさらに（たとえば、ＯＦＤＭ用に）その変調シンボルを処理し得る。次いで、ＴＸ  ＭＩＭＯプロセッサ１６２０は、ＮT個の変調シンボルストリームをＮT個のトランシーバ（「ＸＣＶＲ」）１６２２Ａ〜１６２２Ｔに供給する。いくつかの態様では、ＴＸ  ＭＩＭＯプロセッサ１６２０は、データストリームのシンボルと、シンボルの送信元のアンテナとにビームフォーミング重みを付加する。
【０１５８】
各トランシーバ１６２２は、それぞれのシンボルストリームを受信し、処理して、１つまたは複数のアナログ信号を与え、さらに、それらのアナログ信号を調整（たとえば、増幅、フィルタリング、およびアップコンバート）して、ＭＩＭＯチャネルを介して送信するのに適した被変調信号を与える。次いで、トランシーバ１６２２Ａ〜１６２２ＴからのＮT個の被変調信号は、それぞれＮT個のアンテナ１６２４Ａ〜１６２４Ｔから送信される。
【０１５９】
デバイス１６５０では、送信される被変調信号はＮR個のアンテナ１６５２Ａ〜１６５２Ｒによって受信され、各アンテナ１６５２からの受信信号は、それぞれのトランシーバ（「ＸＣＶＲ」）１６５４Ａ〜１６５４Ｒに供給される。各トランシーバ１６５４は、それぞれの受信信号を調整（たとえば、フィルタ処理、増幅、およびダウンコンバート）し、調整される信号をデジタル化して、サンプルを与え、さらにそれらのサンプルを処理して、対応する「受信」シンボルストリームを与える。
【０１６０】
次いで、ＲＸデータプロセッサ１６６０は、特定の受信機処理技法に基づいてＮR個のトランシーバ１６５４からＮR個の受信シンボルストリームを受信し、処理して、ＮT個の「検出」シンボルストリームを与える。次いで、ＲＸデータプロセッサ１６６０は、各検出シンボルストリームを復調し、デインターリーブし、復号して、データストリームのトラフィックデータを復元する。ＲＸデータプロセッサ１６６０による処理は、デバイス１６１０におけるＴＸ  ＭＩＭＯプロセッサ１６２０とＴＸデータプロセッサ１６１４とによって実行される処理を補足するものである。
【０１６１】
プロセッサ１６７０は、どのプリコーディング行列を使用すべきかを周期的に決める（後述）。プロセッサ１６７０は、行列インデックス部とランク値部とを備える逆方向リンクメッセージを作成する。データメモリ１６７２は、プロセッサ１６７０またはデバイス１６５０の他のコンポーネントによって使用されるプログラムコード、データ、および他の情報を記憶することができる。
【０１６２】
逆方向リンクメッセージは、通信リンクおよび／または受信データストリームに関する様々なタイプの情報を備え得る。次いで、逆方向リンクメッセージは、データソース１６３６からいくつかのデータストリームのトラフィックデータをも受信するＴＸデータプロセッサ１６３８によって処理され、変調器１６８０によって変調され、トランシーバ１６５４Ａ〜１６５４Ｒによって調整され、デバイス１６１０に返信される。
【０１６３】
デバイス１６１０では、デバイス１６５０からの被変調信号は、アンテナ１６２４によって受信され、トランシーバ１６２２によって調整され、復調器（「ＤＥＭＯＤ」）１６４０によって復調され、ＲＸデータプロセッサ１６４２によって処理されて、デバイス１６５０によって送信される逆方向リンクメッセージが抽出される。次いで、プロセッサ１６３０は、ビームフォーミング重みを決めるためにどのプリコーディング行列を使用すべきかを判断し、次いで、抽出されるメッセージを処理する。
【０１６４】
いくつかの実施形態では、ＮT個のアンテナ１６２４Ａ〜１６２４Ｔのうちの１つまたは複数に関連する一意のＲＢがある。したがって、下りリンク上の周波数リソース予約のためのこの中に記載される方法は、ＮT個のアンテナ１６２４Ａ〜１６２４Ｔのうちの１つまたは複数のために採用され、１つまたは複数の対応するＮR個のアンテナ１６５２Ａ〜１６５２Ｒのために採用され得る。
【０１６５】
いくつかの実施形態では、上りリンク上の周波数リソース予約のためのこの中に記載される方法は、１つまたは複数のＮR個のアンテナ１６５２Ａ〜１６５２Ｒと１つまたは複数のＮT個のアンテナ１６２４Ａ〜１６２４Ｔとの間で採用され得る。したがって、デバイス１６５０がランダムアクセスを使用してチャネルにアクセスするとき、デバイス１６５０は周波数のサブセット上のみでランダムアクセスを試みることができる。
【０１６６】
図１６はまた、通信コンポーネントが、本明細書で教示する干渉制御動作を実行する１つまたは複数のコンポーネントを含み得ることを示す。たとえば、干渉（「ＩＮＴＥＲ」）制御コンポーネント１６９０は、デバイス１６１０のプロセッサ１６３０および／または他のコンポーネントと協働して、本明細書で教示する別のデバイス（たとえば、デバイス１６５０）との間で信号を送信／受信することができる。同様に、干渉制御コンポーネント１６９２は、プロセッサ１６７０および／またはデバイス１６５０の他のコンポーネントと協働して、別のデバイス（たとえば、デバイス１６１０）との間で信号を送信／受信し得る。各デバイス１６１０および１６５０について、説明するコンポーネントの２つ以上の機能が単一のコンポーネントによって提供され得ることが理解される。たとえば、単一の処理コンポーネントが干渉制御コンポーネント１６９０およびプロセッサ１６３０の機能を提供し得、また、単一の処理コンポーネントが干渉制御コンポーネント１６９２およびプロセッサ１６７０の機能を提供し得る。
【０１６７】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、あるいは本明細書で説明した機能を実行するために設計されるそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上述のステップおよび／またはアクションの１つまたは複数を実行するために動作可能な１つまたは複数のモジュールを備え得る。
【０１６８】
さらに、本明細書で開示した態様に関して説明した方法またはアルゴリズムのステップおよび／またはアクションは、直接ハードウェアで実施され得るか、プロセッサによって実行されるソフトウェアモジュールで実施され得るか、またはその２つの組合せで実施され得る。ソフトウェアモジュールは、ＲＡＭデータベース、フラッシュデータベース、ＲＯＭデータベース、ＥＰＲＯＭデータベース、ＥＥＰＲＯＭデータベース、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるためにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別コンポーネントとして常駐し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして存在し得る。
【０１６９】
１つまたは複数の例示的な実施形態では、説明した方法および機能は、ハードウェア、ソフトウェア、ファームウェア、またはそれらの任意の組合せで実装され得る。ソフトウェアで実装した場合、方法および機能は、１つまたは複数の命令またはコードとしてコンピュータ可読媒体上に記憶され得るか、あるいはコンピュータ可読媒体を介して送信され得る。コンピュータ可読媒体は、ある場所から別の場所へのコンピュータプログラムの転送を容易にする任意の媒体をもつ、コンピュータ記憶媒体とコンピュータ通信媒体の両方をもつ。記憶媒体は、コンピュータによってアクセスされ得る任意の利用可能な媒体であり得る。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、撚り対線、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１７０】
１つまたは複数の態様では、説明した機能は、ハードウェア、ソフトウェア、ファームウェア、またはそれらの組合せで実装され得る。ソフトウェアで実装した場合、機能は、１つまたは複数の命令またはコードとしてコンピュータ可読媒体上に記憶され得るか、あるいはコンピュータ可読媒体上で送信され得る。コンピュータ可読媒体は、ある場所から別の場所へのコンピュータプログラムの転送を容易にする任意の媒体をもつ、コンピュータ記憶媒体とコンピュータ通信媒体の両方をもつ。記憶媒体は、コンピュータによってアクセスされ得る任意の利用可能な媒体であり得る。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１７１】
上記の開示は、例示的な態様および／または実施形態について論じたが、添付の特許請求の範囲によって定義される、説明した態様および／または実施形態の範囲から逸脱することなく、様々な変更および改変を本明細書で行うことができることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段に記載されていない限り、任意の他の態様および／または実施形態の全部または一部とともに利用され得る。
【図１】
2013509085.tif 000003
【図２】
2013509085.tif 000004
【図３】
2013509085.tif 000005
【図４】
2013509085.tif 000006
【図５】
2013509085.tif 000007
【図６】
2013509085.tif 000008
【図７】
2013509085.tif 000009
【図８】
2013509085.tif 000010
【図９】
2013509085.tif 000011
【図１０Ａ】
2013509085.tif 000012
【図１０Ｂ】
2013509085.tif 000013
【図１０Ｃ】
2013509085.tif 000014
【図１０Ｄ】
2013509085.tif 000015
【図１０Ｅ】
2013509085.tif 000016
【図１１Ａ】
2013509085.tif 000017
【図１１Ｂ】
2013509085.tif 000018
【図１２】
2013509085.tif 000019
【図１３】
2013509085.tif 000020
【図１４】
2013509085.tif 000021
【図１５】
2013509085.tif 000022
【図１６】
2013509085.tif 000023
【国際調査報告】
2013509085.tif 000024
2013509085.tif 000025
2013509085.tif 000026
2013509085.tif 000027
2013509085.tif 000028